(57)【特許請求の範囲】
【請求項１】
端末がサブフレーム及びコンポーネントキャリアグループにおいて物理アップリンク共有チャネルＰＵＳＣＨ及び/又は物理アップリンク制御チャネルＰＵＣＣＨを送信する場合、前記サブフレーム及び前記コンポーネントキャリアグループ上のパワーヘッドルームを測定するステップと、
前記端末が前記パワーヘッドルームと前記パワーヘッドルームの種別を基地局に報告するステップと、を含み、
前記端末がサブフレーム及びコンポーネントキャリアグループにおいてＰＵＳＣＨとＰＵＣＣＨを同時に送信する場合、測定した前記サブフレーム及び前記コンポーネントキャリアグループ上の前記パワーヘッドルームは、
PHPUCCH+PUSCH(i,j)及びPHPUCCH(i,j)と、PH'PUCCH+PUSCH(i,j)及びPHPUCCH(i,j)と、PHPUCCH+PUSCH(i,j)及びPHPUSCH(i,j)と、PH'PUCCH+PUSCH(i,j)及びPHPUSCH(i,j)と、PHPUCCH+PUSCH(i,j)、PHPUSCH(i,j)及びPHPUCCH(i,j)と、PH'PUCCH+PUSCH(i,j)、PHPUSCH(i,j)及びPHPUCCH(i,j)と、の中の１つであって、
その中、iは前記サブフレームであって、jは前記コンポーネントキャリアグループであって、
0005603428.tif 000020
PHPUSCH(i,j)=P'CMAX(j)-P'PUSCH(i,j)、
PHPUCCH(i,j)=P"CMAX(j)-P'PUCCH(i,j)で、
その中、P'PUSCH(i,j)は前記端末が推定した前記サブフレームｉ及び前記コンポーネントキャリアグループｊにおいて送信したＰＵＳＣＨの放射電力であって、P'PUCCH(i,j)は前記端末が推定した前記サブフレームｉ及び前記コンポーネントキャリアグループｊにおいて送信したＰＵＣＣＨの放射電力であって、PCMAX(j)は前記端末が前記サブフレームｉ及び前記コンポーネントキャリアグループｊに設定した最大配置出力電力であって、
P'CMAX(j)は前記端末が前記コンポーネントキャリアグループｊにおいてＰＵＳＣＨのみを送信すると仮定して設定したコンポーネントキャリアグループｊ上の最大配置出力電力であって、P"CMAX(j)は端末が前記コンポーネントキャリアグループｊにおいてＰＵＣＣＨのみを送信すると仮定して設定したコンポーネントキャリアグループｊ上の最大配置出力電力であること、を特徴とするパワーヘッドルームの処理方法。
【請求項２】
前記端末が前記コンポーネントキャリアグループｊにおいてＰＵＳＣＨのみを送信すると仮定した場合、送信すると仮定したＰＵＳＣＨの伝送配置は前記サブフレームｉ及び前記コンポーネントキャリアグループｊにおいて送信するＰＵＳＣＨの配置と同じであって、
前記端末が前記コンポーネントキャリアグループｊにおいてＰＵＣＣＨのみを送信すると仮定した場合、送信すると仮定したＰＵＣＣＨの伝送配置は前記サブフレームｉ及び前記コンポーネントキャリアグループｊにおいて送信するＰＵＣＣＨの配置と同じであって、
その中、前記ＰＵＳＣＨの伝送配置と前記ＰＵＣＣＨの伝送配置は、変調階数と、搬送帯域幅位置と、搬送帯域幅配置と、を含むことを特徴とする請求項１に記載の方法。
【請求項３】
測定した前記パワーヘッドルームがPHPUCCH+PUSCH(i,j)又はPH'PUCCH+PUSCH(i,j)であって、前記端末が前記サブフレームｉにおいて新たなアップリンクの伝送があって、前記サブフレームｉ及び前記コンポーネントキャリアグループｊ上のパワーヘッドルームの報告をトリガーするイベントがある場合、前記端末が前記パワーヘッドルームを前記基地局に報告するステップが、
論理チャネル優先順に従って前記サブフレームｉにおいて前記端末に割り当てられたアップリンクリソースが、前記サブフレームｉ及び前記コンポーネントキャリアグループｊ上のパワーヘッドルームを報告するためのパワーヘッドルーム媒体アクセス制御ＭＡＣ層制御ユニット及び該ＭＡＣ層プロトコルデータユニットサブヘッドを１つ載せるのに充分であると、前記端末が前記サブフレームｉにおいて、前記パワーヘッドルームPHPUCCH+PUSCH(i,j)又はPH'PUCCH+PUSCH(i,j)を報告する作業を実行するステップを含むことを特徴とする請求項１に記載の方法。
【請求項４】
測定した前記パワーヘッドルームがPHPUCCH+PUSCH(i,j)又はPH'PUCCH+PUSCH(i,j)であって、前記端末が前記サブフレームｉ及び前記コンポーネントキャリアグループｊにおいて新たなアップリンクの伝送があって、前記サブフレームｉ及び前記コンポーネントキャリアグループｊ上のパワーヘッドルーム報告をトリガーするイベントがある場合、前記端末が前記パワーヘッドルームを前記基地局に報告するステップが、
論理チャネル優先順に従って前記サブフレームｉ及び前記コンポーネントキャリアグループｊにおいて前記端末に割り当てられたアップリンクリソースが、前記サブフレームｉ及び前記コンポーネントキャリアグループｊ上のパワーヘッドルームを報告するためのパワーヘッドルームＭＡＣ層制御ユニット及び該ＭＡＣ層プロトコルデータユニットサブヘッドを１つ載せるのに充分であると、前記端末が前記サブフレームｉ及びコンポーネントキャリアグループｊにおいて、前記パワーヘッドルームPHPUCCH+PUSCH(i,j)又はPH'PUCCH+PUSCH(i,j)を報告する作業を実行するステップを含むことを特徴とする請求項１に記載の方法。
【請求項５】
測定した前記パワーヘッドルームがPHPUSCH(i,j)及びPHPUCCH(i,j)、又はPHPUCCH+PUSCH(i,j)及びPHPUCCH(i,j)、又はPH'PUCCH+PUSCH(i,j)及びPHPUCCH(i,j)、又はPHPUCCH+PUSCH(i,j)及びPHPUSCH(i,j)、又はPH'PUCCH+PUSCH(i,j)及びPHPUSCH(i,j)、又はPHPUCCH+PUSCH(i,j)及びPHPUSCH(i,j)並びにPHPUCCH(i,j)、又はPH'PUCCH+PUSCH(i,j)及びPHPUSCH(i,j)並びにPHPUCCH(i,j)であって、前記端末がサブフレームｉにおいて新たなアップリンクの伝送があって、サブフレームｉ及びコンポーネントキャリアグループｊ上のパワーヘッドルーム報告をトリガーするイベントがある場合、前記端末が前記パワーヘッドルームを前記基地局に報告するステップが、
論理チャネル優先順に従って前記サブフレームｉにおいて前記端末に割り当てられたアップリンクリソースが、前記サブフレームｉ及びコンポーネントキャリアグループｊ上のパワーヘッドルームを報告するためのパワーヘッドルームＭＡＣ層制御ユニット及び該ＭＡＣ層プロトコルデータユニットサブヘッドを２つ載せるのに充分であると、前記端末が前記サブフレームｉにおいて前記パワーヘッドルームを報告する作業を実行し、
論理チャネル優先順に従って前記サブフレームｉにおいて前記端末に割り当てられたアップリンクリソースが、前記サブフレームｉ及びコンポーネントキャリアグループｊ上のパワーヘッドルームを報告するためのパワーヘッドルームＭＡＣ層制御ユニット及び該ＭＡＣ層プロトコルデータユニットサブヘッドを１つ載せるのに充分であると、前記端末が前記サブフレームｉにおいて、前記パワーヘッドルームを報告する作業を実行するステップを含むことを特徴とする請求項１に記載の方法。
【請求項６】
測定した前記パワーヘッドルームがPHPUSCH(i,j)及びPHPUCCH(i,j)、又はPHPUCCH+PUSCH(i,j)及びPHPUCCH(i,j)、又はPH'PUCCH+PUSCH(i,j)及びPHPUCCH(i,j)、又はPHPUCCH+PUSCH(i,j)及びPHPUSCH(i,j)、又はPH'PUCCH+PUSCH(i,j)及びPHPUSCH(i,j)、又はPHPUCCH+PUSCH(i,j)及びPHPUSCH(i,j)並びにPHPUCCH(i,j)、又はPH'PUCCH+PUSCH(i,j)及びPHPUSCH(i,j)並びにPHPUCCH(i,j)であって、前記端末が前記サブフレームｉ及び前記コンポーネントキャリアグループｊにおいて新たなアップリンクの伝送があって、前記サブフレームｉ及び前記コンポーネントキャリアグループｊ上のパワーヘッドルーム報告をトリガーするイベントがある場合、前記端末が前記パワーヘッドルームを前記基地局に報告するステップが、
論理チャネル優先順に従って前記サブフレームｉ及び前記コンポーネントキャリアグループｊにおいて前記端末に割り当てられたアップリンクリソースが、前記サブフレームｉ及び前記コンポーネントキャリアグループｊ上のパワーヘッドルームを報告するためのパワーヘッドルームＭＡＣ層制御ユニット及び該ＭＡＣ層プロトコルデータユニットサブヘッドを２つ載せるのに充分であると、前記端末がサブフレームｉ及び前記コンポーネントキャリアグループｊにおいて前記パワーヘッドルームを報告する作業を実行し、
論理チャネル優先順に従って前記サブフレームｉ及び前記コンポーネントキャリアグループｊにおいて前記端末に割り当てられたアップリンクリソースが、前記サブフレームｉ及び前記コンポーネントキャリアグループｊ上のパワーヘッドルームを報告するためのパワーヘッドルームＭＡＣ層制御ユニット及び該ＭＡＣ層プロトコルデータユニットサブヘッドを１つ載せるのに充分であると、前記端末が前記サブフレームｉ及び前記コンポーネントキャリアグループｊにおいて、前記パワーヘッドルームを報告する作業を実行するステップを含むことを特徴とする請求項１に記載の方法。
【請求項７】
前記端末に割り当てられたアップリンクリソースが、前記サブフレームｉ及び前記コンポーネントキャリアグループｊ上のパワーヘッドルームを報告するためのパワーヘッドルームＭＡＣ層制御ユニット及び該ＭＡＣ層プロトコルデータユニットサブヘッドを２つ載せるのに充分であると、前記端末が前記パワーヘッドルームを前記基地局に報告するステップが、
測定した前記パワーヘッドルームがPHPUCCH+PUSCH(i,j)及びPHPUSCH(i,j)並びにPHPUCCH(i,j)であると、前記端末が前記サブフレームｉにおいて報告した前記サブフレームｉ及び前記コンポーネントキャリアグループｊ上のパワーヘッドルームはPHPUSCH(i,j)及びPHPUCCH(i,j)、又はPHPUCCH+PUSCH(i,j)及びPHPUSCH(i,j)、又はPHPUCCH+PUSCH(i,j)及びPHPUCCH(i,j)であって、
測定した前記パワーヘッドルームがPH'PUCCH+PUSCH(i,j)及びPHPUSCH(i,j)並びにPHPUCCH(i,j)であると、前記端末が前記サブフレームｉにおいて報告した前記サブフレームｉ及び前記コンポーネントキャリアグループｊ上のパワーヘッドルームはPHPUSCH(i,k)及びPHPUCCH(i,k)、又はPH'PUCCH+PUSCH(i,k)及びPHPUSCH(i,k)、又はPH'PUCCH+PUSCH(i,k)及びPHPUCCH(i,k)であることを特徴とする請求項５又は６に記載の方法。
【請求項８】
前記端末が報告する前記サブフレームｉ及びコンポーネントキャリアグループｊ上のパワーヘッドルームを確定する方式が、
測定した前記パワーヘッドルームがPHPUCCH+PUSCH(i,j)及びPHPUSCH(i,j)並びにPHPUCCH(i,j)である場合、
PHPUCCH+PUSCH(i,j)≧0又はPHPUCCH+PUSCH(i,j)>0であると、前記端末が前記サブフレームｉにおいて報告した前記サブフレームｉ及び前記コンポーネントキャリアグループｊ上のパワーヘッドルームはPHPUSCH(i,j)及びPHPUCCH(i,j)であって、PHPUCCH+PUSCH(i,j)<0又はPHPUCCH+PUSCH(i,j)≦0であると、前記端末が前記サブフレームｉにおいて報告した前記サブフレームｉ及びコンポーネントキャリアグループｊ上のパワーヘッドルームはPHPUCCH+PUSCH(i,j)及びPHPUSCH(i,j)、又はPHPUCCH+PUSCH(i,j)及びPHPUCCH(i,j)であって、又は、
PHPUCCH+PUSCH(i,j)≧0又はPHPUCCH+PUSCH(i,j)>0であると、前記端末が前記サブフレームｉにおいて報告した前記サブフレームｉ及び前記コンポーネントキャリアグループｊ上のパワーヘッドルームはPHPUCCH+PUSCH(i,j)及びPHPUSCH(i,j)、又はPHPUCCH+PUSCH(i,j)及びPHPUCCH(i,j)であって、PHPUCCH+PUSCH(i,j)<0又はPHPUCCH+PUSCH(i,j)≦0であると、前記端末が前記サブフレームｉにおいて報告した前記サブフレームｉ及び前記コンポーネントキャリアグループｊ上のパワーヘッドルームはPHPUSCH(i,j)及びPHPUCCH(i,j)であって、
測定した前記パワーヘッドルームがPH'PUCCH+PUSCH(i,j)及びPHPUSCH(i,j)並びにPHPUCCH(i,j)である場合、
PH'PUCCH+PUSCH(i,j)≧0又はPH'PUCCH+PUSCH(i,j)>0であると、前記端末が前記サブフレームｉにおいて報告した前記サブフレームｉ及び前記コンポーネントキャリアグループｊ上のパワーヘッドルームはPH'PUCCH+PUSCH(i,j)及びPHPUSCH(i,j)、又はPH'PUCCH+PUSCH(i,j)及びPHPUCCH(i,j)であって、PH'PUCCH+PUSCH(i,j)<0又はPH'PUCCH+PUSCH(i,j)≦0であると、前記端末が前記サブフレームｉにおいて報告した前記サブフレームｉ及び前記コンポーネントキャリアグループｊ上のパワーヘッドルームはPHPUSCH(i,j)及びPHPUCCH(i,j)であって、又は、
PH'PUCCH+PUSCH(i,j)≧0又はPH'PUCCH+PUSCH(i,j)>0であると、前記端末が前記サブフレームｉにおいて報告した前記サブフレームｉ及び前記コンポーネントキャリアグループｊ上のパワーヘッドルームはPHPUSCH(i,j)及びPHPUCCH(i,j)であって、PH'PUCCH+PUSCH(i,j)<0又はPH'PUCCH+PUSCH(i,j)≦0であると、前記端末が前記サブフレームｉにおいて報告した前記サブフレームｉ及び前記コンポーネントキャリアグループｊ上のパワーヘッドルームはPH'PUCCH+PUSCH(i,j)及びPHPUSCH(i,j)、又はPH'PUCCH+PUSCH(i,j)及びPHPUCCH(i,j)であることを特徴とする請求項７に記載の方法。
【請求項９】
前記端末に割り当てられたアップリンクリソースが、サブフレームｉ及びコンポーネントキャリアグループｊ上のパワーヘッドルームを報告するためのパワーヘッドルームＭＡＣ層制御ユニット及び該ＭＡＣ層プロトコルデータユニットサブヘッドを１つ載せるのに充分であると、前記端末が前記パワーヘッドルームを前記基地局に報告するステップが、
測定した前記パワーヘッドルームがPHPUCCH+PUSCH(i,j)及びPHPUCCH(i,j)である場合、前記端末が前記サブフレームｉにおいて報告した前記サブフレームｉ及び前記コンポーネントキャリアグループｊ上のパワーヘッドルームはPHPUCCH+PUSCH(i,j)又はPHPUCCH(i,j)であって、
測定した前記パワーヘッドルームがPH'PUCCH+PUSCH(i,j)及びPHPUCCH(i,j)である場合、前記端末が前記サブフレームｉにおいて報告した前記サブフレームｉ及び前記コンポーネントキャリアグループｊ上のパワーヘッドルームはPH'PUCCH+PUSCH(i,j)又はPHPUCCH(i,j)であって、
測定した前記パワーヘッドルームがPHPUCCH+PUSCH(i,j)及びPHPUSCH(i,j)である場合、前記端末が前記サブフレームｉにおいて報告した前記サブフレームｉ及び前記コンポーネントキャリアグループｊ上のパワーヘッドルームはPHPUCCH+PUSCH(i,j)又はPHPUSCH(i,j)であって、
測定した前記パワーヘッドルームがPH'PUCCH+PUSCH(i,j)及びPHPUSCH(i,j)である場合、前記端末が前記サブフレームｉにおいて報告した前記サブフレームｉ及び前記コンポーネントキャリアグループｊ上のパワーヘッドルームはPH'PUCCH+PUSCH(i,j)又はPHPUSCH(i,j)であって、
測定した前記パワーヘッドルームがPHPUCCH+PUSCH(i,j)及びPHPUSCH(i,j)とPHPUCCH(i,j)である場合、前記端末が前記サブフレームｉにおいて報告した前記サブフレームｉ及び前記コンポーネントキャリアグループｊ上のパワーヘッドルームはPHPUCCH+PUSCH(i,j)又はPHPUSCH(i,j)又はPHPUCCH(i,j)であって、
測定した前記パワーヘッドルームがPH'PUCCH+PUSCH(i,j)及びPHPUSCH(i,j)とPHPUCCH(i,j)である場合、前記端末が前記サブフレームｉにおいて報告した前記サブフレームｉ及び前記コンポーネントキャリアグループｊ上のパワーヘッドルームはPH'PUCCH+PUSCH(i,j)又はPHPUSCH(i,j)又はPHPUCCH(i,j)であることを特徴とする請求項５又は６に記載の方法。
【請求項１０】
前記端末が報告した前記サブフレームｉ及び前記コンポーネントキャリアグループｊ上のパワーヘッドルームを確定する方式が、
測定した前記パワーヘッドルームがPHPUCCH+PUSCH(i,j)及びPHPUCCH(i,j)である場合、
PHPUCCH+PUSCH(i,j)≧0又はPHPUCCH+PUSCH(i,j)>0であると、前記端末が前記サブフレームｉにおいて報告した前記サブフレームｉ及び前記コンポーネントキャリアグループｊ上のパワーヘッドルームはPHPUCCH+PUSCH(i,j)であって、PHPUCCH+PUSCH(i,j)<0又はPHPUCCH+PUSCH(i,j)≦0であると、前記端末が前記サブフレームｉにおいて報告した前記サブフレームｉ及び前記コンポーネントキャリアグループｊ上のパワーヘッドルームはPHPUCCH(i,j)であって、又は、
PHPUCCH+PUSCH(i,j)≧0又はPHPUCCH+PUSCH(i,j)>0であると、前記端末が前記サブフレームｉにおいて報告した前記サブフレームｉ及び前記コンポーネントキャリアグループｊ上のパワーヘッドルームはPHPUCCH(i,j)であって、PHPUCCH+PUSCH(i,j)<0又はPHPUCCH+PUSCH(i,j)≦0であると、前記端末が前記サブフレームｉにおいて報告した前記サブフレームｉ及びコンポーネントキャリアグループｊ上のパワーヘッドルームはPHPUCCH+PUSCH(i,j)であって、
測定した前記パワーヘッドルームがPH'PUCCH+PUSCH(i,j)及びPHPUCCH(i,j)である場合、
PH'PUCCH+PUSCH(i,j)≧0又はPH'PUCCH+PUSCH(i,j)>0であると、前記端末が前記サブフレームｉにおいて報告した前記サブフレームｉ及びコンポーネントキャリアグループｊ上のパワーヘッドルームはPH'PUCCH+PUSCH(i,j)であって、PH'PUCCH+PUSCH(i,j)<0又はPH'PUCCH+PUSCH(i,j)≦0であると、前記端末が前記サブフレームｉにおいて報告した前記サブフレームｉ及びコンポーネントキャリアグループｊ上のパワーヘッドルームはPHPUCCH(i,j)であって、又は、
PH'PUCCH+PUSCH(i,j)≧0又はPH'PUCCH+PUSCH(i,j)>0であると、前記端末が前記サブフレームｉにおいて報告した前記サブフレームｉ及びコンポーネントキャリアグループｊ上のパワーヘッドルームはPHPUCCH(i,j)であって、PH'PUCCH+PUSCH(i,j)<0又はPH'PUCCH+PUSCH(i,j)≦0であると、前記端末が前記サブフレームｉにおいて報告した前記サブフレームｉ及びコンポーネントキャリアグループｊ上のパワーヘッドルームはPH'PUCCH+PUSCH(i,j)であって、
測定した前記パワーヘッドルームがPHPUCCH+PUSCH(i,j)及びPHPUSCH(i,j)である場合、
PHPUCCH+PUSCH(i,j)≧0又はPHPUCCH+PUSCH(i,j)>0であると、前記端末が前記サブフレームｉにおいて報告した前記サブフレームｉ及びコンポーネントキャリアグループｊ上のパワーヘッドルームはPHPUSCH(i,j)であって、PHPUCCH+PUSCH(i,j)<0又はPHPUCCH+PUSCH(i,j)≦0であると、前記端末が前記サブフレームｉにおいて報告した前記サブフレームｉ及びコンポーネントキャリアグループｊ上のパワーヘッドルームはPHPUCCH+PUSCH(i,j)であって、又は、
PHPUCCH+PUSCH(i,j)≧0又はPHPUCCH+PUSCH(i,j)>0であると、前記端末が前記サブフレームｉにおいて報告した前記サブフレームｉ及びコンポーネントキャリアグループｊ上のパワーヘッドルームはPHPUCCH+PUSCH(i,j)であって、PHPUCCH+PUSCH(i,j)<0又はPHPUCCH+PUSCH(i,j)≦0であると、前記端末が前記サブフレームｉにおいて報告した前記サブフレームｉ及びコンポーネントキャリアグループｊ上のパワーヘッドルームはPHPUSCH(i,j)であって、
測定した前記パワーヘッドルームがPH'PUCCH+PUSCH(i,j)及びPHPUSCH(i,j)である場合、
PH'PUCCH+PUSCH(i,j)≧0又はPH'PUCCH+PUSCH(i,j)>0であると、前記端末が前記サブフレームｉにおいて報告した前記サブフレームｉ及びコンポーネントキャリアグループｊ上のパワーヘッドルームはPHPUSCH(i,j)であって、PH'PUCCH+PUSCH(i,j)<0又はPH'PUCCH+PUSCH(i,j)≦0であると、前記端末が前記サブフレームｉにおいて報告した前記サブフレームｉ及びコンポーネントキャリアグループｊ上のパワーヘッドルームはPH'PUCCH+PUSCH(i,j)であって、又は
PH'PUCCH+PUSCH(i,j)≧0又はPH'PUCCH+PUSCH(i,j)>0であると、前記端末が前記サブフレームｉにおいて報告した前記サブフレームｉ及びコンポーネントキャリアグループｊ上のパワーヘッドルームはPH'PUCCH+PUSCH(i,j)であって、PH'PUCCH+PUSCH(i,j)<0又はPH'PUCCH+PUSCH(i,j)≦0であると、前記端末が前記サブフレームｉにおいて報告した前記サブフレームｉ及びコンポーネントキャリアグループｊ上のパワーヘッドルームはPHPUSCH(i,j)であって、
測定した前記パワーヘッドルームがPHPUCCH+PUSCH(i,j)及びPHPUSCH(i,j)とPHPUCCH(i,j)である場合、
PHPUCCH+PUSCH(i,j)≧0又はPHPUCCH+PUSCH(i,j)>0であると、前記端末が前記サブフレームｉにおいて報告した前記サブフレームｉ及びコンポーネントキャリアグループｊ上のパワーヘッドルームはPHPUSCH(i,j)又はPHPUCCH(i,j)であって、PHPUCCH+PUSCH(i,j)<0又はPHPUCCH+PUSCH(i,j)≦0であると、前記端末が前記サブフレームｉにおいて報告した前記サブフレームｉ及びコンポーネントキャリアグループｊ上のパワーヘッドルームはPHPUCCH+PUSCH(i,j)であって、又は
PHPUCCH+PUSCH(i,j)≧0又はPHPUCCH+PUSCH(i,j)>0であると、前記端末が前記サブフレームｉにおいて報告した前記サブフレームｉ及びコンポーネントキャリアグループｊ上のパワーヘッドルームはPHPUCCH+PUSCH(i,j)であって、PHPUCCH+PUSCH(i,j)<0又はPHPUCCH+PUSCH(i,j)≦0であると、前記端末が前記サブフレームｉにおいて報告した前記サブフレームｉ及びコンポーネントキャリアグループｊ上のパワーヘッドルームはPHPUSCH(i,j)又はPHPUCCH(i,j)であって、
測定した前記パワーヘッドルームがPH'PUCCH+PUSCH(i,j)及びPHPUSCH(i,j)とPHPUCCH(i,j)である場合、
PH'PUCCH+PUSCH(i,j)≧0又はPH'PUCCH+PUSCH(i,j)>0であると、前記端末が前記サブフレームｉにおいて報告した前記サブフレームｉ及びコンポーネントキャリアグループｊ上のパワーヘッドルームはPH'PUCCH+PUSCH(i,j)であって、PH'PUCCH+PUSCH(i,j)<0又はPH'PUCCH+PUSCH(i,j)≦0であると、前記端末が前記サブフレームｉにおいて報告した前記サブフレームｉ及びコンポーネントキャリアグループｊ上のパワーヘッドルームはPHPUSCH(i,j)又はPHPUCCH(i,j)であって、又は
PH'PUCCH+PUSCH(i,j)≧0又はPH'PUCCH+PUSCH(i,j)>0であると、前記端末が前記サブフレームｉにおいて報告した前記サブフレームｉ及びコンポーネントキャリアグループｊ上のパワーヘッドルームはPHPUSCH(i,j)又はPHPUCCH(i,j)であって、PH'PUCCH+PUSCH(i,j)<0又はPH'PUCCH+PUSCH(i,j)≦0であると、前記端末が前記サブフレームｉにおいて報告した前記サブフレームｉ及びコンポーネントキャリアグループｊ上のパワーヘッドルームはPH'PUCCH+PUSCH(i,j)であることを特徴とする請求項９に記載の方法。
【請求項１１】
前記端末が報告した前記サブフレームｉ及びコンポーネントキャリアグループｊ上のパワーヘッドルームの種別と数は最上位層のシグナリングによって配置されることを特徴とする請求項５又は６に記載の方法。
【請求項１２】
前記端末がサブフレームｉ及びコンポーネントキャリアグループｊにおいてＰＵＳＣＨのみを送信し、前記端末が前記サブフレームｉにおいて新たなアップリンクの伝送があって、サブフレームｉ及びコンポーネントキャリアグループｊ上のパワーヘッドルーム報告をトリガーするイベントがある場合、前記端末が前記パワーヘッドルームを前記基地局に報告するステップが、
論理チャネル優先順に従って前記サブフレームｉにおいて前記端末に割り当てられたアップリンクリソースが、前記サブフレームｉ及びコンポーネントキャリアグループｊ上のパワーヘッドルームを報告するためのパワーヘッドルームＭＡＣ層制御ユニット及び該ＭＡＣ層プロトコルデータユニットサブヘッドを１つ載せるのに充分であると、前記端末が前記サブフレームｉにおいて、前記パワーヘッドルームを報告する作業を実行するステップを含むことを特徴とする請求項１に記載の方法。
【請求項１３】
前記端末がサブフレームｉ及びコンポーネントキャリアグループｊにおいてＰＵＳＣＨのみを送信し、前記端末が前記サブフレームｉ及びコンポーネントキャリアグループｊにおいて新たなアップリンクの伝送があって、前記サブフレームｉ及びコンポーネントキャリアグループｊ上のパワーヘッドルーム報告をトリガーするイベントがある場合、前記端末が前記パワーヘッドルームを前記基地局に報告するステップが、
論理チャネル優先順に従って前記サブフレームｉ及びコンポーネントキャリアグループｊにおいて前記端末に割り当てられたアップリンクリソースが、サブフレームｉ及びコンポーネントキャリアグループｊ上のパワーヘッドルームを報告するためのパワーヘッドルームＭＡＣ層制御ユニット及び該ＭＡＣ層プロトコルデータユニットサブヘッドを１つ載せるのに充分であると、前記端末が前記サブフレームｉ及びコンポーネントキャリアグループｊにおいて、前記パワーヘッドルームを報告する作業を実行するステップを含むことを特徴とする請求項１に記載の方法。
【請求項１４】
前記端末が前記サブフレームｉ及びコンポーネントキャリアグループｊにおいてＰＵＣＣＨのみを送信し、前記端末がサブフレームｉ＋ｎにおいて新たなアップリンクの伝送があって、サブフレームｉ及びコンポーネントキャリアグループｊ上のパワーヘッドルーム報告をトリガーするイベントがある場合、前記端末が前記パワーヘッドルームを前記基地局に報告するステップが、
論理チャネル優先順に従ってサブフレームｉ＋ｎにおいて前記端末に割り当てられたアップリンクリソースが、サブフレームｉ及びコンポーネントキャリアグループｊ上のパワーヘッドルームを報告するためのパワーヘッドルームＭＡＣ層制御ユニット及び該ＭＡＣ層プロトコルデータユニットサブヘッドを１つ載せるのに充分であると、前記端末が前記サブフレームｉにおいて前記パワーヘッドルームを報告する作業を実行するステップを含み、
その中、前記サブフレームｉ＋ｎは、前記サブフレームｉの後の最初の前記端末における新たなアップリンクの伝送があるサブフレームであることを特徴とする請求項１に記載の方法。
【請求項１５】
前記端末が前記サブフレームｉ及びコンポーネントキャリアグループｊにおいてＰＵＣＣＨのみを送信し、前記端末がサブフレームｉ＋ｎ及びコンポーネントキャリアグループｊにおいて新たなアップリンクの伝送があって、サブフレームｉ及びコンポーネントキャリアグループｊ上のパワーヘッドルーム報告をトリガーするイベントがある場合、前記端末が前記パワーヘッドルームを前記基地局に報告するステップが、
論理チャネル優先順に従って前記サブフレームｉ＋ｎ及びコンポーネントキャリアグループｊにおいて前記端末に割り当てられたアップリンクリソースが、サブフレームｉ及びコンポーネントキャリアグループｊ上のパワーヘッドルームを報告するためのパワーヘッドルームＭＡＣ層制御ユニット及び該ＭＡＣ層プロトコルデータユニットサブヘッドを１つ載せるのに充分であると、前記端末が前記サブフレームｉ及びコンポーネントキャリアグループｊにおいて前記パワーヘッドルームを報告する作業を実行するステップを含み、
その中、前記サブフレームｉ＋ｎは、前記サブフレームｉの後の最初のコンポーネントキャリアグループｊにおいて前記端末に新たなアップリンクの伝送があるサブフレームであることを特徴とする請求項１に記載の方法。
【請求項１６】
前記端末が前記パワーヘッドルームと前記パワーヘッドルームの種別を基地局に報告するステップが、
前記端末がパワーヘッドルームＭＡＣ層制御ユニットを介して前記パワーヘッドルーム及び前記パワーヘッドルームの前記種別を前記基地局に報告するステップを含むことを特徴とする請求項１ないし６、１２ないし１５のいずれか１項に記載の方法。
【請求項１７】
前記パワーヘッドルームＭＡＣ層制御ユニットの最上位及び/又はその次の位は前記報告したパワーヘッドルームの種別を示すためのものであることを特徴とする請求項１６に記載の方法。
【請求項１８】
前記コンポーネントキャリアグループが１つのコンポーネントキャリアのみを含み、又は前記コンポーネントキャリアグループが前記端末において同じ電力増幅器を用いる全てのコンポーネントキャリアを含み、又は前記コンポーネントキャリアグループが前記端末が支援可能な全てのコンポーネントキャリアを含むことを特徴とする請求項１ないし６、１２ないし１５のいずれか１項に記載の方法。
【請求項１９】
サブフレーム及びコンポーネントキャリアグループにおいて物理アップリンク共有チャネルＰＵＳＣＨ及び/又は物理アップリンク制御チャネルＰＵＣＣＨを送信する場合、前記サブフレーム及びコンポーネントキャリアグループ上のパワーヘッドルームを測定する測定ブロックと、
前記パワーヘッドルームと前記パワーヘッドルームの種別を基地局に報告する送信ブロックと、を含み、
前記端末がサブフレーム及びコンポーネントキャリアグループにおいてＰＵＳＣＨとＰＵＣＣＨを同時に送信する場合、測定した前記サブフレーム及び前記コンポーネントキャリアグループ上の前記パワーヘッドルームは、
PHPUCCH+PUSCH(i,j)及びPHPUCCH(i,j)と、PH'PUCCH+PUSCH(i,j)及びPHPUCCH(i,j)と、PHPUCCH+PUSCH(i,j)及びPHPUSCH(i,j)と、PH'PUCCH+PUSCH(i,j)及びPHPUSCH(i,j)と、PHPUCCH+PUSCH(i,j)、PHPUSCH(i,j)及びPHPUCCH(i,j)と、PH'PUCCH+PUSCH(i,j)、PHPUSCH(i,j)及びPHPUCCH(i,j)と、の中の１つであって、
その中、iは前記サブフレームであって、jは前記コンポーネントキャリアグループであって、
0005603428.tif 000021
PHPUSCH(i,j)=P'CMAX(j)-P'PUSCH(i,j)，
PHPUCCH(i,j)=P"CMAX(j)-P'PUCCH(i,j)で、
その中、P'PUSCH(i,j)は前記端末が推定した前記サブフレームｉ及び前記コンポーネントキャリアグループｊにおいて送信したＰＵＳＣＨの放射電力であって、P'PUCCH(i,j)は前記端末が推定した前記サブフレームｉ及び前記コンポーネントキャリアグループｊにおいて送信したＰＵＣＣＨの放射電力であって、PCMAX(j)は前記端末が前記サブフレームｉ及び前記コンポーネントキャリアグループｊに設定した最大配置出力電力であって、
P'CMAX(j)は前記端末が前記コンポーネントキャリアグループｊにおいてＰＵＳＣＨのみを送信すると仮定して設定したコンポーネントキャリアグループｊ上の最大配置出力電力であって、P"CMAX(j)は端末が前記コンポーネントキャリアグループｊにおいてＰＵＣＣＨのみを送信すると仮定して設定したコンポーネントキャリアグループｊ上の最大配置出力電力であること、を特徴とする端末。
【発明の詳細な説明】
【技術分野】
【０００１】
本発明は、通信分野に関し、具体的には、パワーヘッドルームの処理方法及び端末に関する。
【背景技術】
【０００２】
３ＧＰＰ  ＬＴＥ（The 3rd Generation Partnership Project Long Term Evolution：第３世代パートナシップ・プロジェクト長期的進化）システムにおいて、アップリンク電力制御（uplink power control、以下アップリンク電力制御又は電力制御と称する）はアップリンク物理チャネル（uplink physical channel）の放射電力を制御し、チャネルの経路損失とシャドーフェージングを補償し、セル間の干渉を抑制するためのものである。その中、アップリンク電力制御により制御されるアップリンク物理チャネルは、物理アップリンク共有チャネル（Physical Uplink Shared Channel、ＰＵＳＣＨ）と、物理アップリンク制御チャネル（Physical Uplink Control Channel、ＰＵＣＣＨ）と、測定基準信号（Sounding Reference Signal、ＳＲＳ）と、を含む。ＬＴＥアップリンク電力制御は開ループ（open loop）方式と閉ループ（closed loop）方式を結合した制御方式を用いる。
【０００３】
ＬＴＥシステムにおいて、ユーザ端末（User Equipment：ＵＥ）のサブフレーム（subframe）ｉ上のＰＵＳＣＨの放射電力を
PPUSCH(i)=min[PCMAX,10log10(MPUSCH(i))+PO_PUSCH(j)+α(j)・PL+ΔTF(i)+f(i)][ｄＢｍ]
に定義し、
その中、PCMAXは、ＵＥが設定した最大配置出力電力（the configured maximum UE output power）であって、その範囲は、ＵＥの電力クラス（the UE power class）によって確定される最大ＵＥ電力（the maximum UE power）と、システムに配置されたＩＥ  Ｐ−Ｍａｘと、最大配置出力電力オフセット（PCMAX tolerance）と、作業帯域、システム帯域幅、変調回数、搬送帯域幅位置、搬送帯域幅配置等による最大パワー低減（Maximum Power Reduction、ＭＰＲ）と追加最大パワー低減（Additional Maximum Power Reduction、Ａ−ＭＰＲ）とによって共同で決定される。
【０００４】
P'PUSCH(i)=10log10(MPUSCH(i))+PO_PUSCH(j)+α(j)・PL+ΔTF(i)+f(i)は、ＵＥが基地局の開ループと閉ループ電力制御パラメーター、命令、経路損失推定、サブフレームｉにて送信するＰＵＳＣＨのリソースブロックの数に基づいて推定したＰＵＳＣＨの放射電力であって、
MPUSCH(i)は、サブフレームｉにて送信するＰＵＳＣＨ帯域幅であり、リソースブロック（Resource Block、ＲＢ）の数によって表し、
PO_PUSCH(j)は、１つの開ループ電力制御パラメーターであり、セル特定の（cell specific）量であるPO_NOMINAL_PUSCH(j)とＵＥ特定の（UE specific）量であるPO_UE_PUSCH(j)の合計であって、その中、ｊ＝０は半持続的スケジューリング（semi-persistent scheduled）のＰＵＳＣＨの伝送に対応し、ｊ＝１は動的スケジューリング（dynamic scheduled）のＰＵＳＣＨの伝送に対応し、ｊ＝２はランダムアクセス応答スケジューリングのＰＵＳＣＨの伝送に対応し、
αはセル特定の経路損失補償要素であり、ｊ＝０又は１である場合、α(ｊ)∈[０、０.４、０.５、０.６、０.７、０.８、０.９、１]であって、ｊ＝２である場合、α(ｊ)＝１である。α＝１は完全な経路損失補償であって、α<１は一部の経路損失補償であって、
ＰＬは、ＵＥ側において測定して計算したダウンリンク経路損失推定（the downlink pathloss estimate）であって、
ΔTF(i)は、変調符号化方式（Modulation Coding Scheme、ＭＣＳ）に関係する電力オフセットであって、
f(i)は、現在のＰＵＳＣＨ電力制御調節状態である。最上位層パラメーターの配置に基づいて、累積値による電力制御である場合、f(i)=f(i-1)+δPUSCH(i-KPUSCH)であって、絶対値による電力制御である場合、f(i)=δPUSCH(i-KPUSCH)である。δPUSCHはＵＥ特定の閉ループ修正値であり、放射電力制御命令（TPC command）とも呼ばれる。
【０００５】
ＬＴＥシステムにおいて、ＵＥのサブフレームｉにおけるＰＵＣＣＨの放射電力をPPUCCH(i)=min[PCMAX,PO_PUCCH+PL+h(nCQI,nHARQ)+ΔF_PUCCH(F)+g(i)] [ｄＢｍ]に定義し、
その中、PCMAXの定義は上述と同じであって、
P'PUCCH(i)=PO_PUCCH+PL+h(nCQI,nHARQ)+ΔF_PUCCH(F)+g(i) はＵＥが基地局の開ループと閉ループの電力制御命令、経路損失推定及びサブフレームｉにて送信するＰＵＣＣＨのフォーマットに基づいて推定したＰＵＣＣＨの放射電力であって、
PO_PUCCHは開ループ電力制御パラメーターであり、セル特定の量であるPO_NOMINAL_PUCCHとＵＥ特定の量であるPO_UE_PUCCHの合計であって、
ΔF_PUCCH(F)はＰＵＣＣＨフォーマットＦ（PUCCH format(F)）に関係する電力オフセットであり、最上位層により配置し、
h(n)は、ＰＵＣＣＨフォーマット（format）Ｆに基づく値であり、その中、nCQIはＣＱＩの情報ビット数であり、nHARQはＨＡＲＱのビット数であって、
g(i)は現在のＰＵＣＣＨ電力制御調節状態であり、
0005603428.tif 000002
である。δPUCCHはＵＥ特定の閉ループ修正値であり、放射電力制御命令（TPC command）とも呼ばれる。
【０００６】
ここで、ＬＴＥシステムにおいて、アップリンク信号の単一キャリアの特性を維持するため、同一のＵＥの場合、ＰＵＳＣＨとＰＵＣＣＨを同時に送信することができない。
【０００７】
ＵＥは、基地局に、ある時刻におけるＵＥが設定した最大配置出力電力とスケジューリングした物理アップリンクチャネルＰＵＳＣＨの追加放射電力との間のマージンを把握させ、基地局にＵＥが電力制限を受けているか否かを把握させ、基地局の次のＰＵＳＣＨのリソーススケジューリング及びリンクアダプテーションに根拠を提供し、ＵＥに適切な変調符号化方式と帯域幅をスケジューリングさせるため、自分のパワーヘッドルーム（Power Headroom、ＰＨ）を測定して基地局に報告しなければならない。ＬＴＥシステムにおいて、ＵＥのサブフレームｉにおけるパワーヘッドルームを
PH(i)=PCMAX-[10log10(MPUSCH(i))+PO_PUSCH(j)+α(j)・PL+ΔTF(i)+f(i)] [ｄＢ]に、
即ち、ＵＥが設定した最大配置出力電力とＵＥが推定したＰＵＳＣＨの放射電力との差に定義する。測定して得たパワーヘッドルームを計算して[４０，−２３]ｄＢ範囲内で数量化し、１ｄＢの精度で最も接近する整数値（数量化する関係は表1に示す）を取って物理層によって最上位層に伝送する。媒体アクセス制御層（Media Access Control Layer、以下ＭＡＣ層と略称する）は６ｂｉｔｓのインテックスによって数量化したパワーヘッドルームを示し、マッピング関係は表１に示すとおりであって、６ｂｉｔｓのインテックスはパワーヘッドルームとも呼ばれる。
【０００８】
そして、パワーヘッドルームの報告（Power Headroom Report、ＰＨＲ）はイベントによってトリガーされる（event-triggered）。ＵＥが現在のサブフレームで新規のＰＵＳＣＨの伝送があって、パワーヘッドルーム報告をトリガーするイベントがあり、基地局が該ＵＥのＰＵＳＣＨの伝送に割り当てたチャネルリソースが、一定の論理なチャネル優先順に従ってパワーヘッドルームＭＡＣ層制御ユニット（Power Headroom MAC Control Element）及び該ＭＡＣ層プロトコルデータユニットサブヘッド（MAC PDU subheader）を載せるのに充分であると、ＵＥはパワーヘッドルームＭＡＣ制御ユニットを介して６ｂｉｔｓのパワーヘッドルームを基地局に報告する。
【０００９】
パワーヘッドルームＭＡＣ層制御ユニットの構成は、図１に示すように、８ビットのバイト（octet）であって、その中の最上位の２ビットは保留ビット（Ｒ）で「０」に設定し、低い方の６ビットは報告したパワーヘッドルーム（ＰＨ）である。
【００１０】
ここで、ＬＴＥシステムにおいて、ＰＵＳＣＨを送信するサブフレームのパワーヘッドルームのみを測定する。
【００１１】
0005603428.tif 000003
【００１２】
ＬＴＥ−Ａｄvａｎｃｅｄシステム（ＬＴＥ−Ａシステムと略称）はＬＴＥシステムの次世代進化システムである。図２に示すように、ＬＴＥ−Ａシステムはキャリアアグリゲーション（carrier aggregation）技術によって伝送帯域幅を拡張し、アグリゲーションされた各キャリアを「コンポーネントキャリア（component carrier）」と称する。複数のコンポーネントキャリアは連続するものであってもよく、不連続するものであってもよく、また、同一の周波数バンド（operating band）に位置してもよく、異なる周波数バンドに位置してもよい。
【００１３】
ＬＴＥ−Ａシステムにおいて、ユーザ端末は1つの（アップリンク）コンポーネントキャリアにおいてＰＵＳＣＨを送信してもよく、複数の（アップリンク）コンポーネントキャリアにおいて複数のＰＵＳＣＨを同時に送信することもでき、１つの（アップリンク）コンポーネントキャリアにて１つ又は複数のＰＵＣＣＨを送信することもできる。そして、ＬＴＥ−ＡシステムのＰＵＣＣＨの研究において、１つの（アップリンク）コンポーネントキャリアにてＰＵＳＣＨとＰＵＣＣＨを同時に送信する技術が提案された。
【００１４】
従って、キャリアアグリゲーション技術を用いたＬＴＥ−Ａシステムにおいてパワーヘッドルームを如何に測定して報告するかは至急解決しなければならない課題となった。
【発明の概要】
【発明が解決しようとする課題】
【００１５】
本発明は、前記の課題を解決できるパワーヘッドルームの処理方法及び端末を提供することを目的とする。
【課題を解決するための手段】
【００１６】
本発明の一方面によると、端末がサブフレーム及びコンポーネントキャリアグループにおいてＰＵＳＣＨ及び/又はＰＵＣＣＨを送信する場合、サブフレーム及びコンポーネントキャリアグループ上のパワーヘッドルームを測定するステップと、端末がパワーヘッドルームと前記パワーヘッドルームの種別を基地局に報告するステップを含むパワーヘッドルームの処理方法を提供する。
【００１７】
本発明の他の一方面によると、サブフレーム及びコンポーネントキャリアグループにおいてＰＵＳＣＨ及び/又はＰＵＣＣＨを送信する場合、サブフレーム及びコンポーネントキャリアグループ上のパワーヘッドルームを測定する測定ブロックと、パワーヘッドルームと前記パワーヘッドルームの種別を基地局に報告する送信ブロックと、を含む端末を提供する。
【発明の効果】
【００１８】
本発明によると、端末がパワーヘッドルームを報告する際にパワーヘッドルームの種別を報告することによって、関連技術における報告したパワーヘッドルームを区別できない問題を解決する。従って、パワーヘッドルームを報告する際に該種別を報告し、各パワーヘッドルームが所属される種別を明確に示し、混同を回避できる。
【発明を実施するための形態】
【００１９】
機能の説明
以下、図面を参照しつつ実施例に合わせ、本発明を詳しく説明する。互いに矛盾しない限り、本発明の実施例及び実施例に開示された特徴を結合可能であることは言うまでもない。
【００２０】
図３は本発明の実施例に係るパワーヘッドルームの処理方法を示すフローチャートであり、以下のステップを含む。
【００２１】
端末がサブフレーム及びコンポーネントキャリアグループにおいてＰＵＳＣＨ及び/又はＰＵＣＣＨを送信する場合、サブフレーム及びコンポーネントキャリアグループ上のパワーヘッドルームを測定する（ステップＳ３０２）。
【００２２】
端末は前記パワーヘッドルームと前記パワーヘッドルームの種別を基地局に報告する（ステップＳ３０４）。
【００２３】
該実施例によると、端末はサブフレーム及びコンポーネントキャリアグループにおいてＰＵＳＣＨ及び/又はＰＵＣＣＨを伝送する場合、サブフレーム及びコンポーネントキャリアグループのパワーヘッドルームを測定し、ＬＴＥ−Ａシステムのパワーヘッドルームの測定問題を解決し、端末のパワーヘッドルームの測定及び報告を実現した。
【００２４】
また、端末はパワーヘッドルームを報告すると共にパワーヘッドルームの種別を報告し、関連技術における報告されたパワーヘッドルームを区別できない問題を解決した。従って、パワーヘッドルームを報告すると共に該種別を報告し、各パワーヘッドルームが属する種別を明確に示し、混同を防止する。
【００２５】
本発明に係るパワーヘッドルームの処理方法は測定と報告の２つの部分に分けられる。
【００２６】
（一）パワーヘッドルームの測定:
ユーザ端末がサブフレームｉ及びコンポーネントキャリアグループｊにおいてＰＵＳＣＨ及び/又はＰＵＣＣＨを送信する場合、該ユーザ端末はサブフレームｉ及びコンポーネントキャリアグループｊにおいてパワーヘッドルームPH(i,j) を測定し、
その中、０＝<ｉ<＝９、０＝<ｊ<＝Ｎ−１又は１＝<ｊ<＝Ｎであって、Ｎの値はＬＴＥ−Ａプロトコルに規定されたコンポーネントキャリアグループの数に等しい。
【００２７】
ここで、各コンポーネントキャリアグループに１つのコンポーネントキャリアのみが含まれると、Ｎはコンポーネントキャリア数に等しい。
【００２８】
以下のような各種状況が含まれる。
【００２９】
１）ユーザ端末がサブフレームｉ及びコンポーネントキャリアグループｊにおいてＰＵＳＣＨのみを送信する。
ユーザ端末がサブフレームｉ及びコンポーネントキャリアグループｊにおいてＰＵＳＣＨのみを送信する場合、ユーザ端末はサブフレームｉ及びコンポーネントキャリアグループｊにおいてパワーヘッドルームPHPUSCH(i,j) [ｄＢ]を測定する。
【００３０】
ユーザ端末がサブフレームｉ及びコンポーネントキャリアグループｊにおいてＰＵＳＣＨのみを送信するとは、サブフレームｉにおいて、ユーザ端末がコンポーネントキャリアグループｊの中の１つのコンポーネントキャリアにおいて１つのＰＵＳＣＨを送信し、又は複数のコンポーネントキャリアにおいて複数のＰＵＳＣＨをそれぞれ送信（即ち、複数のコンポーネントキャリア中の各コンポーネントキャリアにおいて１つのＰＵＳＣＨをの送信）し、ユーザ端末がコンポーネントキャリアグループｊの中のいずれかのコンポーネントキャリアにおいてもＰＵＣＣＨを送信しないことを言う。
【００３１】
前記ユーザ端末が推定したサブフレームｉ及びコンポーネントキャリアグループｊ上のＰＵＳＣＨの放射電力がP'PUSCH(i,j) [ｄＢｍ]であって、該ユーザ端末がサブフレームｉ及びコンポーネントキャリアグループｊに設定した最大配置出力電力がPCMAX(j) [ｄＢｍ]であると仮定すると、ユーザ端末がサブフレームｉ及びコンポーネントキャリアグループｊにおいて測定したパワーヘッドルームは
PHPUSCH(i,j)=PCMAX(j)-P'PUSCH(i,j) [ｄＢ]（１）であって、
即ち、ユーザ端末がサブフレームｉ及びコンポーネントキャリアグループｊに設定した最大配置出力電力とユーザ端末が推定したサブフレームｉ及びコンポーネントキャリアグループｊにおいて送信したＰＵＳＣＨの放射電力との差である。
【００３２】
ここで、ユーザ端末がコンポーネントキャリアグループｊにおいて複数のＰＵＳＣＨを送信する場合、P'PUSCH(i,j)はユーザ端末が推定した該複数のＰＵＳＣＨの放射電力の合計である。
【００３３】
コンポーネントキャリアグループｊの中の各コンポーネントキャリアにおける推定されたＰＵＳＣＨの放射電力がP'PUSCH(i,k) [ｄＢｍ]であると(その中、ｋ∈Ｋはコンポーネントキャリアグループｊの中の各コンポーネントキャリアの番号である)、
0005603428.tif 000004
であって、
ユーザ端末が推定したＰＵＳＣＨの放射電力P'PUSCH(i,k) [ｄＢｍ]はユーザ端末が基地局の開ループ及び閉ループ電力制御パラメーター、命令、経路損失推定、サブフレームｉ及びコンポーネントキャリアｋにおいてスケジューリングしたＰＵＳＣＨのリソースブロック数等に基づいて推定したＰＵＳＣＨの放射電力である。
【００３４】
ここで、
P'PUSCH(i,k)=10log10(MPUSCH(i,k))+PO_PUSCH(h,k)+α(h,k)・PL+ΔTF(i,k)+f(i,k) [ｄＢｍ]であって、
その中、MPUSCH(i,k)はサブフレームｉ及びコンポーネントキャリアｋにおいて送信したＰＵＳＣＨの帯域幅であって、リソースブロック（Resource Block、ＲＢ）の数で表し、
PO_PUSCH(h,k)はコンポーネントキャリアｋ上の開ループ電力制御パラメーターであって、
αはコンポーネントキャリアｋ上の特定の経路損失補償要素であって、
ＰＬはＵＥ側において測定し、算出したコンポーネントキャリアｋのダウンリンク経路損失推定であって、
ΔTF(i,k)はサブフレームｉ及びコンポーネントキャリアｋにおいて送信するＰＵＳＣＨの変調符号化方式に関するパワーオフセットであって、
f(i,k)はサブフレームｉ及びコンポーネントキャリアｋにおいて送信するＰＵＳＣＨの現在の電力制御調節状態である。
【００３５】
２）ユーザ端末がサブフレームｉ及びコンポーネントキャリアグループｊにおいてＰＵＣＣＨのみを送信する。
ユーザ端末がサブフレームｉ及びコンポーネントキャリアグループｊにおいてＰＵＣＣＨのみを送信する場合、ユーザ端末はサブフレームｉ及びコンポーネントキャリアグループｊにおいてパワーヘッドルームPHPUCCH(i,j)を測定する。
【００３６】
ユーザ端末がサブフレームｉ及びコンポーネントキャリアグループｊにおいてＰＵＣＣＨのみを伝送するとは、サブフレームｉにおいて、ユーザ端末がコンポーネントキャリアグループｊの中の１つのコンポーネントキャリアにおいてＰＵＣＣＨを送信し、ユーザ端末がコンポーネントキャリアグループｊの中の１つのコンポーネントキャリアにおいて複数のＰＵＣＣＨを送信することを含み、また、ユーザ端末がコンポーネントキャリアグループｊの中のいずれのコンポーネントキャリアにおいてもＰＵＳＣＨを送信しないことを言う。
【００３７】
ユーザ端末が推定したサブフレームｉ及びコンポーネントキャリアグループｊ上のＰＵＣＣＨの放射電力がP'PUCCH(i,j) [ｄＢｍ]であって、ユーザ端末がサブフレームｉ及びコンポーネントキャリアグループｊに設定した最大配置出力電力がPCMAX(j) [ｄＢｍ]であると仮定すると、該ユーザ端末がサブフレームｉ及びコンポーネントキャリアグループｊにおいて測定したパワーヘッドルームは
PHPUCCH(i,j)=PCMAX(j)-P'PUCCH(i,j) [ｄＢ]（３）であって、
即ち、ユーザ端末がサブフレームｉ及びコンポーネントキャリアグループｊに設定した最大配置出力電力とユーザ端末が推定したサブフレームｉ及びコンポーネントキャリアグループｊにおいて送信したＰＵＣＣＨの放射電力との差である。
【００３８】
ここで、ユーザ端末がコンポーネントキャリアグループｊにおいて複数のＰＵＣＣＨを送信する場合、P'PUCCH(i,j)はユーザ端末により推定された該複数のＰＵＣＣＨの放射電力の合計である。
【００３９】
コンポーネントキャリアグループｊの中の各コンポーネントキャリアにおける推定したＰＵＣＣＨの放射電力がP'PUCCH(i,k) [ｄＢｍ]であると(その中、ｋ∈Ｋはコンポーネントキャリアグループｊの中の各コンポーネントキャリアの番号である)、
0005603428.tif 000005
であって、
コンポーネントキャリアｋにおける推定したＰＵＣＣＨの放射電力がP'PUCCH(i,k) [ｄＢｍ]であって、コンポーネントキャリアｋにおいて複数のＰＵＣＣＨを送信し、推定した各ＰＵＣＣＨの放射電力がP'PUCCH(i,k,c) [ｄＢｍ]であると(その中、ｃ∈Ｃはコンポーネントキャリアｋの各ＰＵＣＣＨの番号である)、
0005603428.tif 000006
であって、
即ち、ユーザ端末がサブフレームｉ及びコンポーネントキャリアグループｊの中の１つのコンポーネントキャリアにおいて複数のＰＵＣＣＨを送信する場合、該コンポーネントキャリアについて、ユーザ端末は該コンポーネントキャリアにおいて送信する各ＰＵＣＣＨの放射電力を推定し、該コンポーネントキャリアにおいて送信した各ＰＵＣＣＨの放射電力の合計を、ユーザ端末により推定された該コンポーネントキャリアにおいて送信したアップリンク物理チャネルの放射電力とする。
【００４０】
前記ユーザ端末が推定したＰＵＣＣＨの放射電力P'PUCCH(i,k,c)はユーザ端末が基地局の開ループと閉ループ電力制御パラメーター、命令、経路損失推定、サブフレームｉ及びコンポーネントキャリアｋにおいて送信した番号がｃであるＰＵＣＣＨフォーマットに基づいて推定したＰＵＣＣＨの放射電力である。
【００４１】
ここで、
P'PUCCH(i,k,c)=PO_PUCCH(k)+PL+h(nCQI,nHARQ)+ΔF_PUCCH(F)+g(i,k,c) [ｄＢｍ]であって、
PO_PUCCH(k)はコンポーネントキャリアｋ上の開ループ電力制御パラメーターであって、
ΔF_PUCCH(F)はサブフレームｉ及びコンポーネントキャリアｋにおいて送信した番号がｃであるＰＵＣＣＨのＰＵＣＣＨフォーマットＦ（PUCCH format(F)）に関するパワーオフセットであって、最上位層によって配置され、
h(n)はＰＵＣＣＨフォーマットＦに基づく値であり、その中、nCQIはＣＱＩの情報ビット数であって、nHARQはＨＡＲＱのビット数であって、
g(i,k,c)はサブフレームｉ及びコンポーネントキャリアｋにおいて送信した番号がｃであるＰＵＣＣＨの現在の電力制御調節状態である。
【００４２】
３）ユーザ端末がサブフレームｉ及びコンポーネントキャリアグループｊにおいてＰＵＳＣＨとＰＵＣＣＨを同時に送信する。
ユーザ端末がサブフレームｉ及びコンポーネントキャリアグループｊにおいてＰＵＳＣＨとＰＵＣＣＨを同時に送信し、ユーザ端末がサブフレームｉ及びコンポーネントキャリアグループｊにおいてパワーヘッドルームを測定すると仮定する。
【００４３】
ユーザ機器がサブフレームｉ及びコンポーネントキャリアグループｊにおいてＰＵＳＣＨとＰＵＣＣＨを同時に送信するとは、サブフレームｉにおいて前記ユーザ機器がコンポーネントキャリアグループｊの中の１つ又は複数のコンポーネントキャリアにおいてＰＵＳＣＨを送信し、コンポーネントキャリアグループｊの中の１つのコンポーネントキャリアにおいてＰＵＣＣＨを送信することを言う。
【００４４】
ユーザ端末が推定したサブフレームｉ及びコンポーネントキャリアグループｊにおけるＰＵＳＣＨの放射電力がP'PUSCH(i,j)[ｄＢｍ]であって、推定したＰＵＣＣＨの放射電力がP'PUCCH(i,j)[ｄＢｍ]であって、ユーザ端末がサブフレームｉ及びコンポーネントキャリアグループｊに設定した最大配置出力電力がPCMAX(j)[ｄＢｍ]であると仮定すると、該ユーザ端末がサブフレームｉ及びコンポーネントキャリアグループｊにおいて測定したパワーヘッドルームは
ａ：
0005603428.tif 000007
であって、
又はｂ：
0005603428.tif 000008
であって、
又はｃ：
PHPUSCH(i,j)とPHPUCCH(i,j)であって、その中、
PHPUSCH(i,j)=P'CMAX(j)-P'PUSCH(i,j)[ｄＢ]であり、
PHPUCCH(i,j)=P"CMAX(j)-P'PUCCH(i,j) [ｄＢ]である。
【００４５】
ここで、PCMAX(j)=P'CMAX(j)=P"CMAX(j)はユーザ端末がサブフレームｉ及びコンポーネントキャリアグループｊに設定した最大配置出力電力であって、
又はP'CMAX(j)はユーザ端末がコンポーネントキャリアグループｊにおいてＰＵＳＣＨのみを送信すると仮定して設定したコンポーネントキャリアグループｊにおける最大配置出力電力であって、
その中、送信すると仮定したＰＵＳＣＨの伝送配置（変調階数、搬送帯域幅位置、搬送帯域幅配置（占用した物理リソースブロック数）等を含む）はサブフレームｉ及びコンポーネントキャリアグループｊにおいて送信するＰＵＳＣＨの配置と同じである。
【００４６】
ここで、P"CMAX(j)はユーザ端末がコンポーネントキャリアグループｊにおいてＰＵＣＣＨのみを伝送すると仮定して設定したコンポーネントキャリアグループｊにおける最大配置出力電力である。
【００４７】
その中、送信すると仮定したＰＵＣＣＨの伝送配置（変調階数、搬送帯域幅位置、搬送帯域幅配置などを含む）はサブフレームｉ及びコンポーネントキャリアグループｊにおいて送信したＰＵＣＣＨの配置と同じである。
【００４８】
又はｄ：
PHPUCCH+PUSCH(i,j)とPHPUCCH(i,j)、その定義はそれぞれａ、ｃと同じである。
【００４９】
又はｅ：
PH'PUCCH+PUSCH(i,j)とPHPUCCH(i,j)、その定義はそれぞれｂ、ｃと同じである。
【００５０】
又はｆ：
PHPUCCH+PUSCH(i,j)とPHPUSCH(i,j)、その定義はそれぞれａ、ｃと同じである。
【００５１】
又はｇ：
PH'PUCCH+PUSCH(i,j)とPHPUSCH(i,j)、その定義はそれぞれｂ、ｃと同じである。
【００５２】
又はｈ：
PHPUCCH+PUSCH(i,j)とPHPUSCH(i,j)とPHPUCCH(i,j)、その定義はそれぞれａ、ｃと同じである。
【００５３】
又はｉ：
PH'PUCCH+PUSCH(i,j)とPHPUSCH(i,j)とPHPUCCH(i,j)、その定義はそれぞれｂ、ｃと同じである。
【００５４】
又は、該ユーザ端末がサブフレームｉ及びコンポーネントキャリアグループｊにおいて測定したパワーヘッドルームの種別と数を最上位層のシグナリングにより配置する。
【００５５】
ここで、ユーザ端末がコンポーネントキャリアグループｊ中において複数のＰＵＳＣＨを送信する場合、P'PUSCH(i,j)はユーザ端末が推定した該複数のＰＵＳＣＨの放射電力の合計である。
【００５６】
コンポーネントキャリアグループｊの中の各コンポーネントキャリアにおける推定したＰＵＳＣＨの放射電力がP'PUSCH(i,k)[ｄＢｍ]であると(その中、ｋ∈Ｋはコンポーネントキャリアグループｊにおける各コンポーネントキャリアの番号である)、
0005603428.tif 000009
である。
【００５７】
ここで、ユーザ端末がコンポーネントキャリアグループｊにおいて複数のＰＵＣＣＨを送信する場合、P'PUCCH(i,j)はユーザ端末が推定した該複数のＰＵＣＣＨの放射電力の合計である。
【００５８】
コンポーネントキャリアグループｊの中の各コンポーネントキャリアにおける推定したＰＵＣＣＨの放射電力がP'PUCCH(i,k)[ｄＢｍ]であると(その中、ｋ∈Ｋはコンポーネントキャリアグループｊの中の各コンポーネントキャリアの番号である)、
0005603428.tif 000010
であって、
コンポーネントキャリアｋにおける推定したＰＵＣＣＨの放射電力がP'PUCCH(i,k)[ｄＢｍ]であって、コンポーネントキャリアｋにおいて複数のＰＵＣＣＨを送信し、推定した各ＰＵＣＣＨの放射電力がP'PUCCH(i,k,c) [ｄＢｍ]であると(その中、ｃ∈Ｃはコンポーネントキャリアｋの各ＰＵＣＣＨの番号である)、
0005603428.tif 000011
である。
【００５９】
前記３種類の状況において、コンポーネントキャリアグループｊは１つ又は複数のコンポーネントキャリアからなる１組のコンポーネントキャリアを示し、これらのコンポーネントキャリアはアップリンク信号の送信に用いられる。各コンポーネントキャリアグループはいずれも１つのコンポーネントキャリアのみを含むことができる。
【００６０】
ここで、コンポーネントキャリアグループは、ユーザ端末において同じ電力増幅器ＰＡを用いる全てのコンポーネントキャリアを含むことができる。コンポーネントキャリアグループがユーザ端末により支援可能な全てのコンポーネントキャリアを含むこともできる。
【００６１】
（二）パワーヘッドルームの報告
１）ユーザ端末がサブフレームｉ及びコンポーネントキャリアグループｊにおいてＰＵＳＣＨのみを送信し、サブフレームｉにおいてユーザ端末に新たなアップリンクの伝送があって、サブフレームｉ及びコンポーネントキャリアグループｊにおけるパワーヘッドルーム報告をトリガーするイベントがある場合、
一定の論理チャネル優先順に従ってサブフレームｉにおいて該ユーザ端末に割り当てられたアップリンクリソースが、サブフレームｉ及びコンポーネントキャリアグループｊ上のパワーヘッドルームを報告するためのパワーヘッドルームＭＡＣ層制御ユニット及び該ＭＡＣ層プロトコルデータユニットサブヘッド（MAC PDU subheader）を１つ載せるのに充分であると、該ユーザ端末はサブフレームｉにおいてサブフレームｉ及びコンポーネントキャリアグループｊ上のパワーヘッドルームを報告し、
そうでない場合、該ユーザ端末はサブフレームｉにおいてサブフレームｉ及びコンポーネントキャリアグループｊにおけるパワーヘッドルームを報告しない。
【００６２】
また、ユーザ端末がサブフレームｉ及びコンポーネントキャリアグループｊにおいてＰＵＳＣＨのみを送信し、サブフレームｉ及びコンポーネントキャリアグループｊにおいてユーザ端末に新たなアップリンクの伝送があって、サブフレームｉ及びコンポーネントキャリアグループｊにおけるパワーヘッドルーム報告をトリガーするイベントがある場合、
一定の論理チャネル優先順に従ってサブフレームｉ及びコンポーネントキャリアグループｊにおいて該ユーザ端末に割り当てられたアップリンクリソースが、サブフレームｉ及びコンポーネントキャリアグループｊにおけるパワーヘッドルームを報告するためのパワーヘッドルームＭＡＣ層制御ユニット及び該ＭＡＣ層プロトコルデータユニットサブヘッド（MAC PDU subheader）を１つ載せるのに充分であると、該ユーザ端末はサブフレームｉ及びコンポーネントキャリアグループｊにおいてサブフレームｉ及びコンポーネントキャリアグループｊにおけるパワーヘッドルームを報告し、
そうでない場合、該ユーザ端末はサブフレームｉにおいてサブフレームｉ及びコンポーネントキャリアグループｊにおけるパワーヘッドルームを報告しない。
【００６３】
該ユーザ端末が報告したサブフレームｉ及びコンポーネントキャリアグループｊにおけるパワーヘッドルームはPHPUSCH(i,j)である。
【００６４】
２）ユーザ端末がサブフレームｉ及びコンポーネントキャリアグループｊにおいてＰＵＣＣＨのみを送信し、サブフレームｉ＋ｎにおいてユーザ端末に新たなアップリンクの伝送があって、サブフレームｉ及びコンポーネントキャリアグループｊにおけるパワーヘッドルーム報告をトリガーするイベントがある場合、
一定の論理チャネル優先順に従ってサブフレームｉ＋ｎにおいて該ユーザ端末に割り当てられたアップリンクリソースが、サブフレームｉ及びコンポーネントキャリアグループｊにおけるパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉにおいてサブフレームｉ及びコンポーネントキャリアグループｊにおけるパワーヘッドルームを報告し、
そうでない場合、該ユーザ端末はサブフレームｉにおいてサブフレームｉ及びコンポーネントキャリアグループｊにおけるパワーヘッドルームを報告しない。
【００６５】
ここで、サブフレームｉ＋ｎはサブフレームｉの後のユーザ端末における最初の新たなアップリンクの伝送があるサブフレームである。
【００６６】
また、ユーザ端末がサブフレームｉ及びコンポーネントキャリアグループｊにおいてＰＵＣＣＨのみを送信し、サブフレームｉ＋ｎ及びコンポーネントキャリアグループｊにおいてユーザ端末に新たなアップリンクの伝送があって、サブフレームｉ及びコンポーネントキャリアグループｊにおけるパワーヘッドルーム報告をトリガーするイベントがある場合、
一定の論理チャネル優先順に従ってサブフレームｉ＋ｎ及びコンポーネントキャリアグループｊにおいて該ユーザ端末に割り当てられたアップリンクリソースが、サブフレームｉ及びコンポーネントキャリアグループｊにおけるパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉ及びコンポーネントキャリアグループｊにおいてサブフレームｉ及びコンポーネントキャリアグループｊにおけるパワーヘッドルームを報告し、
そうでない場合、該ユーザ端末はサブフレームｉにおいてサブフレームｉ及びコンポーネントキャリアグループｊにおけるパワーヘッドルームを報告しない。
【００６７】
ここで、サブフレームｉ＋ｎはサブフレームｉの後のユーザ端末における最初の新たなアップリンクの伝送があるサブフレームである。該ユーザ端末が報告したサブフレームｉ及びコンポーネントキャリアグループｊにおけるパワーヘッドルームはPHPUCCH(i,j)である。
【００６８】
３）ユーザ端末がサブフレームｉ及びコンポーネントキャリアグループｊにおいてＰＵＳＣＨとＰＵＣＣＨを同時に送信する。
ａ又はｂの場合、
ユーザ端末がサブフレームｉ及びコンポーネントキャリアグループｊにおいてＰＵＳＣＨとＰＵＣＣＨを同時に送信し、サブフレームｉにおいてユーザ端末に新たなアップリンクの伝送があって、サブフレームｉ及びコンポーネントキャリアグループｊにおけるパワーヘッドルーム報告をトリガーするイベントがある場合、
一定の論理チャネル優先順に従ってサブフレームｉにおいて該ユーザ端末に割り当てられたアップリンクリソースが、サブフレームｉ及びコンポーネントキャリアグループｊにおけるパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉにおいてサブフレームｉ及びコンポーネントキャリアグループｊにおけるパワーヘッドルームを報告し、
そうでない場合、該ユーザ端末はサブフレームｉにおいてサブフレームｉ及びコンポーネントキャリアグループｊにおけるパワーヘッドルームを報告しない。
【００６９】
また、ユーザ端末がサブフレームｉ及びコンポーネントキャリアグループｊにおいてＰＵＳＣＨとＰＵＣＣＨを同時に送信し、サブフレームｉ及びコンポーネントキャリアグループｊにおいてユーザ端末に新たなアップリンクの伝送があって、サブフレームｉ及びコンポーネントキャリアグループｊにおけるパワーヘッドルーム報告をトリガーするイベントがある場合、
一定の論理チャネル優先順に従ってサブフレームｉ及びコンポーネントキャリアグループｊにおいて該ユーザ端末に割り当てられたアップリンクリソースが、サブフレームｉ及びコンポーネントキャリアグループｊにおけるパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉ及びコンポーネントキャリアグループｊにおいてサブフレームｉ及びコンポーネントキャリアグループｊにおけるパワーヘッドルームを報告し、
そうでない場合、該ユーザ端末はサブフレームｉにおいてサブフレームｉ及びコンポーネントキャリアグループｊにおけるパワーヘッドルームを報告しない。
【００７０】
該ユーザ端末が報告したサブフレームｉ及びコンポーネントキャリアグループｊにおけるパワーヘッドルームは
ａの場合：PHPUCCH+PUSCH(i,j)であって、
ｂの場合：PH'PUCCH+PUSCH(i,j)である。
【００７１】
ｃ〜ｉの場合：
ユーザ端末がサブフレームｉ及びコンポーネントキャリアグループｊにおいてＰＵＳＣＨとＰＵＣＣＨを同時に送信し、サブフレームｉにおいてユーザ端末に新たなアップリンクの伝送があって、サブフレームｉ及びコンポーネントキャリアグループｊにおけるパワーヘッドルーム報告をトリガーするイベントがある場合、
I：一定の論理チャネル優先順に従ってサブフレームｉにおいて該ユーザ端末
に割り当てられたアップリンクリソースが、サブフレームｉ及びコンポーネントキャリアグループｊにおけるパワーヘッドルームを報告するためのパワーヘッドルームＭＡＣ層制御ユニット及び該ＭＡＣ  ＰＤＵ  ｓｕｂｈｅａｄｅｒを２つ載せるのに充分であると、該ユーザ端末はサブフレームｉにおいてサブフレームｉ及びコンポーネントキャリアグループｊにおけるパワーヘッドルームを報告し、
II：一方、一定の論理チャネル優先順に従ってサブフレームｉにおいて該ユー
ザ端末に割り当てられたアップリンクリソースが、サブフレームｉ及びコンポーネントキャリアグループｊにおけるパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉにおいてサブフレームｉ及びコンポーネントキャリアグループｊにおけるパワーヘッドルームを報告し、
III：そうでない場合、該ユーザ端末はサブフレームｉにおいてサブフレームｉ
及びコンポーネントキャリアグループｊにおけるパワーヘッドルームを報告しない。
【００７２】
また、ユーザ端末がサブフレームｉ及びコンポーネントキャリアグループｊにおいてＰＵＳＣＨとＰＵＣＣＨを同時に送信し、サブフレームｉ及びコンポーネントキャリアグループｊにおいてユーザ端末に新たなアップリンクの伝送があって、サブフレームｉ及びコンポーネントキャリアグループｊにおけるパワーヘッドルーム報告をトリガーするイベントがある場合、
I：一定の論理チャネル優先順に従ってサブフレームｉ及びコンポーネントキ
ャリアグループｊにおいて該ユーザ端末に割り当てられたアップリンクリソースが、サブフレームｉ及びコンポーネントキャリアグループｊにおいてパワーヘッドルームを報告するためのパワーヘッドルームＭＡＣ層制御ユニット及び該ＭＡＣ  ＰＤＵ  ｓｕｂｈｅａｄｅｒを２つ載せるのに充分であると、該ユーザ端末はサブフレームｉ及びコンポーネントキャリアグループｊにおいてサブフレームｉ及びコンポーネントキャリアグループｊにおけるパワーヘッドルームを報告し、
II：一方、一定の論理チャネル優先順に従ってサブフレームｉ及びコンポーネ
ントキャリアグループｊにおいて該ユーザ端末に割り当てられたアップリンクリソースが、サブフレームｉ及びコンポーネントキャリアグループｊにおけるパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉ及びコンポーネントキャリアグループｊにおいてサブフレームｉ及びコンポーネントキャリアグループｊにおけるパワーヘッドルームを報告し、
III：そうでない場合、該ユーザ端末はサブフレームｉにおいてサブフレームｉ
及びコンポーネントキャリアグループｊ上のパワーヘッドルームを報告しない。
【００７３】
Iにおいて、該ユーザ端末がサブフレームｉにおいて報告したサブフレームｉ
及びコンポーネントキャリアグループｊ上のパワーヘッドルームは
ｃの場合：PHPUSCH(i,j)とPHPUCCH(i,j)であって、
ｄの場合：PHPUCCH+PUSCH(i,j)とPHPUCCH(i,j)であって、
ｅの場合：PH'PUCCH+PUSCH(i,j)とPHPUCCH(i,j)であって、
ｆの場合：PHPUCCH+PUSCH(i,j)とPHPUSCH(i,j)であって、
ｇの場合：PH'PUCCH+PUSCH(i,j)とPHPUSCH(i,j)であって、
ｈの場合：PHPUSCH(i,j)とPHPUCCH(i,j)、又はPHPUCCH+PUSCH(i,j)とPHPUSCH(i,j)、又はPHPUCCH+PUSCH(i,j)とPHPUCCH(i,j)である。
【００７４】
その中、ｈの場合、PHPUCCH+PUSCH(i,j)≧0又はPHPUCCH+PUSCH(i,j)>0であると、該ユーザ端末がサブフレームｉにおいて報告したサブフレームｉ及びコンポーネントキャリアグループｊ上のパワーヘッドルームはPHPUSCH(i,j)とPHPUCCH(i,j)であって、PHPUCCH+PUSCH(i,j)<0又はPHPUCCH+PUSCH(i,j)≦0であると、該ユーザ端末がサブフレームｉにおいて報告したサブフレームｉ及びコンポーネントキャリアグループｊ上のパワーヘッドルームはPHPUCCH+PUSCH(i,j)とPHPUSCH(i,j)であって、又はPHPUCCH+PUSCH(i,j)とPHPUCCH(i,j)である。
【００７５】
又は、PHPUCCH+PUSCH(i,j)≧0又はPHPUCCH+PUSCH(i,j)>0であると、該ユーザ端末がサブフレームｉにおいて報告したサブフレームｉ及びコンポーネントキャリアグループｊ上のパワーヘッドルームはPHPUCCH+PUSCH(i,j)とPHPUSCH(i,j)であって、又はPHPUCCH+PUSCH(i,j)とPHPUCCH(i,j)であって、
PHPUCCH+PUSCH(i,j)<0又はPHPUCCH+PUSCH(i,j)≦0であると、該ユーザ端末がサブフレームｉにおいて報告したサブフレームｉ及びコンポーネントキャリアグループｊ上のパワーヘッドルームはPHPUSCH(i,j)とPHPUCCH(i,j)である。
【００７６】
ｉの場合、PHPUSCH(i,j)とPHPUCCH(i,j)、又はPH'PUCCH+PUSCH(i,j)とPHPUSCH(i,j)、又はPH'PUCCH+PUSCH(i,j)とPHPUCCH(i,j)であって、
ｉにおいて、PH'PUCCH+PUSCH(i,j)≧0又はPH'PUCCH+PUSCH(i,j)>0であると、該ユーザ端末がサブフレームｉにおいて報告したサブフレームｉ及びコンポーネントキャリアグループｊ上のパワーヘッドルームはPH'PUCCH+PUSCH(i,j)とPHPUSCH(i,j)、又はPH'PUCCH+PUSCH(i,j)とPHPUCCH(i,j)であって、PH'PUCCH+PUSCH(i,j)<0又はPH'PUCCH+PUSCH(i,j)≦0であると、該ユーザ端末がサブフレームｉにおいて報告したサブフレームｉ及びコンポーネントキャリアグループｊ上のパワーヘッドルームはPHPUSCH(i,j)とPHPUCCH(i,j)である。
【００７７】
又は、PH'PUCCH+PUSCH(i,j)≧0又はPH'PUCCH+PUSCH(i,j)>0であると、該ユーザ端末がサブフレームｉにおいて報告したサブフレームｉ及びコンポーネントキャリアグループｊ上のパワーヘッドルームはPHPUSCH(i,j)とPHPUCCH(i,j)であって、PH'PUCCH+PUSCH(i,j)<0又はPH'PUCCH+PUSCH(i,j)≦0であると、該ユーザ端末がサブフレームｉにおいて報告したサブフレームｉ及びコンポーネントキャリアグループｊ上のパワーヘッドルームはPH'PUCCH+PUSCH(i,j)とPHPUSCH(i,j)であって、又はPH'PUCCH+PUSCH(i,j)とPHPUCCH(i,j)である。
【００７８】
IIにおいて、該ユーザ端末がサブフレームｉにおいて報告したサブフレームｉ
及びコンポーネントキャリアグループｊ上のパワーヘッドルームは
ｃの場合：PHPUSCH(i,j)又はPHPUCCH(i,j)であって、
ｄの場合：PHPUCCH+PUSCH(i,j)又はPHPUCCH(i,j)である。
【００７９】
その中、ｄの場合、PHPUCCH+PUSCH(i,j)≧0又はPHPUCCH+PUSCH(i,j)>0であると、該ユーザ端末がサブフレームｉにおいて報告したサブフレームｉ及びコンポーネントキャリアグループｊ上のパワーヘッドルームはPHPUCCH+PUSCH(i,j)であって、PHPUCCH+PUSCH(i,j)<0又はPHPUCCH+PUSCH(i,j)≦0であると、該ユーザ端末がサブフレームｉにおいて報告したサブフレームｉ及びコンポーネントキャリアグループｊ上のパワーヘッドルームはPHPUCCH(i,j)である。
【００８０】
又は、PHPUCCH+PUSCH(i,j)≧0又はPHPUCCH+PUSCH(i,j)>0であると、該ユーザ端末がサブフレームｉにおいて報告したサブフレームｉ及びコンポーネントキャリアグループｊ上のパワーヘッドルームはPHPUCCH(i,j)であって、PHPUCCH+PUSCH(i,j)<0又はPHPUCCH+PUSCH(i,j)≦0であると、該ユーザ端末がサブフレームｉにおいて報告したサブフレームｉ及びコンポーネントキャリアグループｊ上のパワーヘッドルームはPHPUCCH+PUSCH(i,j)である。
【００８１】
ｅの場合：PH'PUCCH+PUSCH(i,j)又はPHPUCCH(i,j)である。
ｅの場合、PH'PUCCH+PUSCH(i,j)≧0又はPH'PUCCH+PUSCH(i,j)>0であると、該ユーザ端末がサブフレームｉにおいて報告したサブフレームｉ及びコンポーネントキャリアグループｊ上のパワーヘッドルームはPH'PUCCH+PUSCH(i,j)であって、PH'PUCCH+PUSCH(i,j)<0又はPH'PUCCH+PUSCH(i,j)≦0であると、該ユーザ端末がサブフレームｉにおいて報告したサブフレームｉ及びコンポーネントキャリアグループｊ上のパワーヘッドルームはPHPUCCH(i,j)である。
【００８２】
又は、PH'PUCCH+PUSCH(i,j)≧0又はPH'PUCCH+PUSCH(i,j)>0であると、該ユーザ端末がサブフレームｉにおいて報告したサブフレームｉ及びコンポーネントキャリアグループｊ上のパワーヘッドルームはPHPUCCH(i,j)であって、PH'PUCCH+PUSCH(i,j)<0又はPH'PUCCH+PUSCH(i,j)≦0であると、該ユーザ端末がサブフレームｉにおいて報告したサブフレームｉ及びコンポーネントキャリアグループｊ上のパワーヘッドルームはPH'PUCCH+PUSCH(i,j)である。
【００８３】
ｆの場合：PHPUCCH+PUSCH(i,j)又はPHPUSCH(i,j)である。
ｆの場合、PHPUCCH+PUSCH(i,j)≧0又はPHPUCCH+PUSCH(i,j)>0であると、該ユーザ端末がサブフレームｉにおいて報告したサブフレームｉ及びコンポーネントキャリアグループｊ上のパワーヘッドルームはPHPUSCH(i,j)であって、PHPUCCH+PUSCH(i,j)<0又はPHPUCCH+PUSCH(i,j)≦0であると、該ユーザ端末がサブフレームｉにおいて報告したサブフレームｉ及びコンポーネントキャリアグループｊ上のパワーヘッドルームはPHPUCCH+PUSCH(i,j)である。
【００８４】
又は、PHPUCCH+PUSCH(i,j)≧0又はPHPUCCH+PUSCH(i,j)>0であると、該ユーザ端末がサブフレームｉにおいて報告したサブフレームｉ及びコンポーネントキャリアグループｊ上のパワーヘッドルームはPHPUCCH+PUSCH(i,j)であって、PHPUCCH+PUSCH(i,j)<0又はPHPUCCH+PUSCH(i,j)≦0であると、該ユーザ端末がサブフレームｉにおいて報告したサブフレームｉ及びコンポーネントキャリアグループｊ上のパワーヘッドルームはPHPUSCH(i,j)である。
【００８５】
ｇの場合：PH'PUCCH+PUSCH(i,j)又はPHPUSCH(i,j)である。
ｇの場合、PH'PUCCH+PUSCH(i,j)≧0又はPH'PUCCH+PUSCH(i,j)>0であると、該ユーザ端末がサブフレームｉにおいて報告したサブフレームｉ及びコンポーネントキャリアグループｊ上のパワーヘッドルームはPHPUSCH(i,j)であって、PH'PUCCH+PUSCH(i,j)<0又はPH'PUCCH+PUSCH(i,j)≦0であると、該ユーザ端末がサブフレームｉにおいて報告したサブフレームｉ及びコンポーネントキャリアグループｊ上のパワーヘッドルームはPH'PUCCH+PUSCH(i,j)である。
【００８６】
又は、PH'PUCCH+PUSCH(i,j)≧0又はPH'PUCCH+PUSCH(i,j)>0であると、該ユーザ端末がサブフレームｉにおいて報告したサブフレームｉ及びコンポーネントキャリアグループｊ上のパワーヘッドルームはPH'PUCCH+PUSCH(i,j)であって、PH'PUCCH+PUSCH(i,j)<0又はPH'PUCCH+PUSCH(i,j)≦0であると、該ユーザ端末がサブフレームｉにおいて報告したサブフレームｉ及びコンポーネントキャリアグループｊ上のパワーヘッドルームはPHPUSCH(i,j)である。
【００８７】
ｈの場合：PHPUSCH(i,j)又はPHPUCCH(i,j)又はPHPUCCH+PUSCH(i,j)である。
ｈの場合、PHPUCCH+PUSCH(i,j)≧0又はPHPUCCH+PUSCH(i,j)>0であると、該ユーザ端末がサブフレームｉにおいて報告したサブフレームｉ及びコンポーネントキャリアグループｊ上のパワーヘッドルームはPHPUSCH(i,j)又はPHPUCCH(i,j)であって、PHPUCCH+PUSCH(i,j)<0又はPHPUCCH+PUSCH(i,j)≦0であると、該ユーザ端末がサブフレームｉにおいて報告したサブフレームｉ及びコンポーネントキャリアグループｊ上のパワーヘッドルームはPHPUCCH+PUSCH(i,j)である。
【００８８】
又は、PHPUCCH+PUSCH(i,j)≧0又はPHPUCCH+PUSCH(i,j)>0であると、該ユーザ端末がサブフレームｉにおいて報告したサブフレームｉ及びコンポーネントキャリアグループｊ上のパワーヘッドルームはPHPUCCH+PUSCH(i,j)であって、PHPUCCH+PUSCH(i,j)<0又はPHPUCCH+PUSCH(i,j)≦0であると、該ユーザ端末がサブフレームｉにおいて報告したサブフレームｉ及びコンポーネントキャリアグループｊ上のパワーヘッドルームはPHPUSCH(i,j)又はPHPUCCH(i,j)である。
【００８９】
ｉの場合：PHPUSCH(i,j)又はPHPUCCH(i,j)又はPH'PUCCH+PUSCH(i,j)である。
ｉの場合、PH'PUCCH+PUSCH(i,j)≧0又はPH'PUCCH+PUSCH(i,j)>0であると、該ユーザ端末がサブフレームｉにおいて報告したサブフレームｉ及びコンポーネントキャリアグループｊ上のパワーヘッドルームはPH'PUCCH+PUSCH(i,j)であって、PH'PUCCH+PUSCH(i,j)<0又はPH'PUCCH+PUSCH(i,j)≦0であると、該ユーザ端末がサブフレームｉにおいて報告したサブフレームｉ及びコンポーネントキャリアグループｊ上のパワーヘッドルームはPHPUSCH(i,j)又はPHPUCCH(i,j)である。
【００９０】
又は、PH'PUCCH+PUSCH(i,j)≧0又はPH'PUCCH+PUSCH(i,j)>0であると、該ユーザ端末がサブフレームｉにおいて報告したサブフレームｉ及びコンポーネントキャリアグループｊ上のパワーヘッドルームはPHPUSCH(i,j)又はPHPUCCH(i,j)であって、PH'PUCCH+PUSCH(i,j)<0又はPH'PUCCH+PUSCH(i,j)≦0であると、該ユーザ端末がサブフレームｉにおいて報告したサブフレームｉ及びコンポーネントキャリアグループｊ上のパワーヘッドルームはPH'PUCCH+PUSCH(i,j)である。
【００９１】
又はIとIIにおいて説明したように、該ユーザ端末が報告するサブフレームｉ
及びコンポーネントキャリアグループｊ上のパワーヘッドルームの種別は最上位層のシグナリング(high-level signaling)によって配置される。その中、パワーヘッドルームの種別は、パワーヘッドルームが前記のアルゴリズムの中のどのアルゴリズムに従って計算されたものであるかを示す。
【００９２】
ユーザ端末は基地局にパワーヘッドルームとそのパワーヘッドルームの種別を報告する。その中、ユーザ端末はパワーヘッドルームＭＡＣ層制御ユニットを介して前記パワーヘッドルームを報告する。
【００９３】
また、ユーザ端末が基地局にパワーヘッドルームを報告する際に、パワーヘッドルームＭＡＣ層制御ユニットにおいて、報告したパワーヘッドルームの種別を示す。
【００９４】
また、前記パワーヘッドルームＭＡＣ層制御ユニットの中の最上位及び/又はその次の位は報告したパワーヘッドルームの種別を示すためのものである。
【００９５】
前記種別は、対応するパワーヘッドルームがPHPUSCH(i,j)又はPHPUCCH(i,j)又はPHPUCCH+PUSCH(i,j)又はPH'PUCCH+PUSCH(i,j)であることを表す。
【００９６】
例えば、前記パワーヘッドルームＭＡＣ層制御ユニットの中の最上位又はその次の位が０であると、報告したパワーヘッドルームがPHPUSCH(i,j)であることを示す。
【００９７】
前記パワーヘッドルームＭＡＣ層制御ユニットの中の最上位又はその次の位が１であると、報告したパワーヘッドルームがPHPUCCH(i,j)であることを示す。
【００９８】
又は、前記パワーヘッドルームＭＡＣ層制御ユニットの中の最上位又はその次の位が０であると、報告したパワーヘッドルームがPHPUSCH(i,j)であることを示す。
【００９９】
前記パワーヘッドルームＭＡＣ層制御ユニットの中の最上位又はその次の位が１であると、報告したパワーヘッドルームがPHPUCCH+PUSCH(i,j)（又はPH'PUCCH+PUSCH(i,j)）であることを示す。
【０１００】
又は、前記パワーヘッドルームＭＡＣ層制御ユニットの中の最上位の２ビットが００であると、報告したパワーヘッドルームがPHPUSCH(i,j)であることを示す。
【０１０１】
前記パワーヘッドルームＭＡＣ層制御ユニットの中の最上位の２ビットが０１又は１０又は１１であると、報告したパワーヘッドルームがPHPUCCH(i,j)であることを示す。
【０１０２】
又は、前記パワーヘッドルームＭＡＣ層制御ユニットの中の最上位の２ビットが００であると、報告したパワーヘッドルームがPHPUSCH(i,j)であることを示す。
【０１０３】
前記パワーヘッドルームＭＡＣ層制御ユニットの中の最上位の２ビットが０１又は１０又は１１であると、報告したパワーヘッドルームがPHPUCCH+PUSCH(i,j)（又はPH'PUCCH+PUSCH(i,j)）であることを示す。
【０１０４】
又は、前記パワーヘッドルームＭＡＣ層制御ユニットの中の最上位の２ビットが００であると、報告したパワーヘッドルームがPHPUSCH(i,j)であることを示す。
【０１０５】
前記パワーヘッドルームＭＡＣ層制御ユニットの中の最上位の２ビットが０１又は１０又は１１であると、報告したパワーヘッドルームがPHPUCCH(i,j)であることを示す。
【０１０６】
前記パワーヘッドルームＭＡＣ層制御ユニットの中の最上位の２ビットが１０又は１１又は０１であると、報告したパワーヘッドルームがPHPUCCH+PUSCH(i,j)（又はPH'PUCCH+PUSCH(i,j)）であることを示す。
【０１０７】
以下、コンポーネントキャリアグループに１つのコンポーネントキャリアのみが含まれる場合を特例として説明する。
【０１０８】
（一）コンポーネントキャリア上のパワーヘッドルームの測定：
各前記コンポーネントキャリアグループが１つのコンポーネントキャリアのみを含む場合、ユーザ端末は各コンポーネントキャリアにおいてパワーヘッドルームを測定する。
【０１０９】
Ａ）ユーザ端末がサブフレームｉ及びコンポーネントキャリアｋにおいてＰＵＳＣＨのみを送信し、ＰＵＣＣＨは送信せず、該ユーザ端末がサブフレームｉ及びコンポーネントキャリアｋにおいてパワーヘッドルームPHPUSCH(i,k)を測定すると仮定する。
【０１１０】
ユーザ端末が推定したサブフレームｉ及びコンポーネントキャリアｋ上のＰＵＳＣＨの放射電力がP'PUSCH(i,k) [ｄＢｍ]であって、ユーザ端末がサブフレームｉ及びコンポーネントキャリアｋに設定した最大配置出力電力がPCMAX(k)[ｄＢｍ]であるとした場合、該ユーザ端末がサブフレームｉ及びコンポーネントキャリアｋにおいて測定したパワーヘッドルームは
PHPUSCH(i,k)=PCMAX(k)-P'PUSCH(i,k)[ｄＢ]であって、
即ち、ユーザ端末がサブフレームｉ及びコンポーネントキャリアｋに設定した最大配置出力電力とユーザ端末が推定したサブフレームｉ及びコンポーネントキャリアｋにおいて送信するＰＵＳＣＨの放射電力との差である。
【０１１１】
Ｂ)ユーザ端末がサブフレームｉ及びコンポーネントキャリアｋにおいてＰＵＣＣＨのみを送信し、ＰＵＳＣＨは送信せず、ユーザ端末がサブフレームｉ及びコンポーネントキャリアｋにおいてパワーヘッドルームPHPUCCH(i,k)を測定すると仮定する。
【０１１２】
ユーザ端末が推定したサブフレームｉ及びコンポーネントキャリアｋ上のＰＵＣＣＨの放射電力がP'PUCCH(i,k)[ｄＢｍ]であって、ユーザ端末がサブフレームｉ及びコンポーネントキャリアｋに設定した最大配置出力電力がPCMAX(k)[ｄＢｍ]であるとした場合、該ユーザ端末がサブフレームｉ及びコンポーネントキャリアｋにおいて測定したパワーヘッドルームは
PHPUCCH(i,k)=PCMAX(k)-P'PUCCH(i,k)[ｄＢ]であって、
即ち、ユーザ端末がサブフレームｉ及びコンポーネントキャリアｋに設定した最大配置出力電力とユーザ端末が推定したサブフレームｉ及びコンポーネントキャリアｋにおいて送信するＰＵＣＣＨの放射電力との差である。
【０１１３】
コンポーネントキャリアｋにおいて複数のＰＵＣＣＨを送信し、ユーザ端末が推定した各ＰＵＣＣＨチャネルの放射電力がP'PUCCH(i,k,c)[ｄＢｍ]であると(その中、ｃ∈Ｃはコンポーネントキャリアｋ上の各ＰＵＣＣＨの番号である)、
0005603428.tif 000012
である。
【０１１４】
Ｃ）ユーザ端末がサブフレームｉ及びコンポーネントキャリアｋにおいてＰＵＳＣＨとＰＵＣＣＨを同時に送信し、ユーザ端末がサブフレームｉ及びコンポーネントキャリアｋにおいてパワーヘッドルームを測定すると仮定する。
【０１１５】
ユーザ端末が推定したサブフレームｉ及びコンポーネントキャリアｋ上のＰＵＳＣＨの放射電力がP'PUSCH(i,k)[ｄＢｍ]であって、推定したＰＵＣＣＨの放射電力がP'PUCCH(i,k)[ｄＢｍ]であって、ユーザ端末がコンポーネントキャリアｋに配置した最大配置出力電力がPCMAX(k) [ｄＢｍ]であるとした場合、該ユーザ端末がサブフレームｉ及びコンポーネントキャリアｋにおいて測定したパワーヘッドルームは
ａ：
0005603428.tif 000013
であって、
又はｂ：
0005603428.tif 000014
であって、
又はｃ：
PHPUCCH(i,k)とPHPUSCH(i,k)で、その中、
PPUCCH(i,k)=P'CMAX(k)-P'PUCCH(i,k)[ｄＢ]で、
PPUSCH(i,k)=P"CMAX(k)-P'PUSCH(i,k)[ｄＢ]である。
【０１１６】
ここで、PCMAX(j)=P'CMAX(j)=P"CMAX(j)はユーザ端末がサブフレームｉ及びコンポーネントキャリアｋに設定した最大配置出力電力である。
【０１１７】
ここで、P'CMAX(k)はユーザ端末がコンポーネントキャリアｋにおいてＰＵＳＣＨのみを送信すると仮定して設定したコンポーネントキャリアｋ上の最大配置出力電力である。
【０１１８】
ここで、送信すると仮定したＰＵＳＣＨの伝送配置（変調階数、搬送帯域幅位置、搬送帯域幅配置等を含む）はサブフレームｉ及びコンポーネントキャリアｋにおいて送信するＰＵＳＣＨの配置と同じである。
【０１１９】
ここで、P"CMAX(k)はユーザ端末がコンポーネントキャリアｋにおいてＰＵＣＣＨのみを送信すると仮定して設定したコンポーネントキャリアｋ上の最大配置出力電力である。
【０１２０】
ここで、送信すると仮定したＰＵＣＣＨの伝送配置（変調階数、搬送帯域幅位置、搬送帯域幅配置等を含む）はサブフレームｉ及びコンポーネントキャリアｋにおいて送信したＰＵＣＣＨの配置と同じである。
【０１２１】
又はｄ：PHPUCCH+PUSCH(i,k)とPHPUCCH(i,k)で、その定義はそれぞれａ、ｃと同じである。
【０１２２】
又はｅ：PH'PUCCH+PUSCH(i,k)とPHPUCCH(i,k)で、その定義はそれぞれｂ、ｃと同じである。
【０１２３】
又はｆ：PHPUCCH+PUSCH(i,k)とPHPUSCH(i,k)で、その定義はそれぞれａ、ｃと同じである。
【０１２４】
又はｇ：PH'PUCCH+PUSCH(i,k)とPHPUSCH(i,k)で、その定義はそれぞれｂ、ｃと同じである。
【０１２５】
又はｈ：PHPUCCH+PUSCH(i,k)とPHPUSCH(i,k)とPHPUCCH(i,k)で、その定義はそれぞれａ、ｃと同じである。
【０１２６】
又はｉ：PH'PUCCH+PUSCH(i,k)とPHPUSCH(i,k)とPHPUCCH(i,k)で、その定義はそれぞれｂ、ｃと同じである。
【０１２７】
又は、該ユーザ端末がサブフレームｉ及びコンポーネントキャリアｋにおいて測定したパワーヘッドルームの種別と数は最上位層のシグナリングによって配置される。
【０１２８】
コンポーネントキャリアｋにおいて複数のＰＵＣＣＨチャネルを送信し、ユーザ端末が推定した各ＰＵＣＣＨチャネルの放射電力がP'PUCCH(i,k,c)[ｄＢｍ]であると(その中、ｃ∈Ｃはコンポーネントキャリアｋ上の各ＰＵＣＣＨの番号である)、
0005603428.tif 000015
である。
【０１２９】
（二）コンポーネントキャリア上のパワーヘッドルームの報告
１）ユーザ端末がサブフレームｉ及びコンポーネントキャリアｋにおいてＰＵＳＣＨのみを送信し、サブフレームｉにおいてユーザ端末に新規のアップリンクの伝送があって、サブフレームｉ及びコンポーネントキャリアｋ上のパワーヘッドルーム報告をトリガーするイベントがある場合、
一定の論理チャネル優先順に従ってサブフレームｉにおいて該ユーザ端末に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ層プロトコルデータユニットサブヘッド（MAC PDU subheader）を１つ載せるのに充分であると、該ユーザ端末はサブフレームｉにおいてサブフレームｉ及びコンポーネントキャリアｋ上のパワーヘッドルームを報告し、
そうでない場合、該ユーザ端末はサブフレームｉにおいてサブフレームｉ及びコンポーネントキャリアｋ上のパワーヘッドルームを報告しない。
【０１３０】
又は、ユーザ端末がサブフレームｉ及びコンポーネントキャリアｋにおいてＰＵＳＣＨのみを送信し、サブフレームｉ及びコンポーネントキャリアｋにおいてユーザ端末に新たなアップリンクの伝送があって、サブフレームｉ及びコンポーネントキャリアｋ上のパワーヘッドルーム報告をトリガーするイベントがある場合、
一定の論理チャネル優先順に従ってサブフレームｉ及びコンポーネントキャリアｋにおいて該ユーザ端末に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ層プロトコルデータユニットサブヘッド（MAC PDU subheader）を１つ載せるのに充分であると、該ユーザ端末はサブフレームｉ及びコンポーネントキャリアｋにおいてサブフレームｉ及びコンポーネントキャリアｋ上のパワーヘッドルームを報告し、
そうでない場合、該ユーザ端末はサブフレームｉにおいてサブフレームｉ及びコンポーネントキャリアｋ上のパワーヘッドルームを報告しない。
【０１３１】
該ユーザ端末が報告したサブフレームｉ及びコンポーネントキャリアｋ上のパワーヘッドルームはPHPUSCH(i,k)である。
【０１３２】
２）ユーザ端末がサブフレームｉ及びコンポーネントキャリアｋにおいてＰＵＣＣＨのみを送信し、サブフレームｉ＋ｎにおいてユーザ端末に新たなアップリンクの伝送があって、サブフレームｉ及びコンポーネントキャリアｋ上のパワーヘッドルーム報告をトリガーするイベントがある場合、
一定の論理チャネル優先順に従ってサブフレームｉ＋ｎにおいて該ユーザ端末に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉにおいてサブフレームｉ及びコンポーネントキャリアｋ上のパワーヘッドルームを報告し、
そうでない場合、該ユーザ端末はサブフレームｉにおいてサブフレームｉ及びコンポーネントキャリアｋ上のパワーヘッドルームを報告しない。
【０１３３】
ここで、サブフレームｉ＋ｎはサブフレームｉの後の最初のユーザ端末における新たなアップリンクの伝送があるサブフレームである。
【０１３４】
又は、ユーザ端末がサブフレームｉ及びコンポーネントキャリアｋにおいてＰＵＣＣＨのみを送信し、サブフレームｉ＋ｎ及びコンポーネントキャリアｋにおいてユーザ端末に新たなアップリンクの伝送があって、サブフレームｉ及びコンポーネントキャリアｋ上のパワーヘッドルーム報告をトリガーするイベントがある場合、
一定の論理チャネル優先順に従ってサブフレームｉ＋ｎ及びコンポーネントキャリアｋにおいて該ユーザ端末に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉ及びコンポーネントキャリアｋにおいてサブフレームｉ及びコンポーネントキャリアｋ上のパワーヘッドルームを報告し、
そうでない場合、該ユーザ端末はサブフレームｉにおいてサブフレームｉ及びコンポーネントキャリアｋ上のパワーヘッドルームを報告しない。
【０１３５】
ここで、サブフレームｉ＋ｎはサブフレームｉの後の最初のコンポーネントキャリアｋにおいてユーザ端末に新規のアップリンクの伝送があるサブフレームである。
【０１３６】
該ユーザ端末が報告したサブフレームｉ及びコンポーネントキャリアｋ上のパワーヘッドルームはPHPUCCH(i,j)である。
【０１３７】
３）
ａ又はｂの場合：
ユーザ端末がサブフレームｉ及びコンポーネントキャリアｋにおいてＰＵＣＣＨとＰＵＳＣＨを同時に送信し、サブフレームｉ＋ｎにおいてユーザ端末に新たなアップリンクの伝送があって、サブフレームｉ及びコンポーネントキャリアｋ上のパワーヘッドルーム報告をトリガーするイベントがある場合、
一定の論理チャネル優先順に従ってサブフレームｉにおいて該ユーザ端末に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉにおいてサブフレームｉ及びコンポーネントキャリアｋ上のパワーヘッドルームを報告し、
そうでない場合、該ユーザ端末はサブフレームｉにおいてサブフレームｉ及びコンポーネントキャリアｋ上のパワーヘッドルームを報告しない。
【０１３８】
又は、ユーザ端末がサブフレームｉ及びコンポーネントキャリアｋにおいてＰＵＣＣＨとＰＵＳＣＨを同時に送信し、サブフレームｉ＋ｎ及びコンポーネントキャリアｋにおいてユーザ端末に新たなアップリンクの伝送があって、サブフレームｉ及びコンポーネントキャリアｋ上のパワーヘッドルーム報告をトリガーするイベントがある場合、
一定の論理チャネル優先順に従ってサブフレームｉ及びコンポーネントキャリアｋにおいて該ユーザ端末に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉ及びコンポーネントキャリアｋにおいてサブフレームｉ及びコンポーネントキャリアｋ上のパワーヘッドルームを報告し、
そうでない場合、該ユーザ端末はサブフレームｉにおいてサブフレームｉ及びコンポーネントキャリアｋ上のパワーヘッドルームを報告しない。
【０１３９】
前記ユーザ端末が報告したサブフレームｉ及びコンポーネントキャリアｋ上のパワーヘッドルームは、
ａの場合、PHPUCCH+PUSCH(i,k)であって、
ｂの場合、PH'PUCCH+PUSCH(i,k)である。
【０１４０】
ｃ〜ｉの場合：
ユーザ端末がサブフレームｉ及びコンポーネントキャリアｋにおいてＰＵＣＣＨとＰＵＳＣＨを同時に送信し、サブフレームｉ＋ｎにおいてユーザ端末に新たなアップリンクの伝送があって、サブフレームｉ及びコンポーネントキャリアｋ上のパワーヘッドルーム報告をトリガーするイベントがある場合、
I：一定の論理チャネル優先順に従ってサブフレームｉにおいて該ユーザ端末
に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ  ＰＤＵ  ｓｕｂｈｅａｄｅｒを２つ載せるのに充分であると、該ユーザ端末はサブフレームｉにおいてサブフレームｉ及びコンポーネントキャリアｋ上のパワーヘッドルームを報告し、
II：一方、一定の論理チャネル優先順に従ってサブフレームｉにおいて該ユー
ザ端末に割り当てられたアップリンクリソースが、サブフレームｉ及びコンポーネントキャリアｋ上のパワーヘッドルームを報告するためのパワーヘッドルームＭＡＣ層制御ユニットを１つ載せるのに充分であると、該ユーザ端末はサブフレームｉにおいてサブフレームｉ及びコンポーネントキャリアｋ上のパワーヘッドルームを報告し、
III：そうでない場合、該ユーザ端末はサブフレームｉにおいてサブフレームｉ
及びコンポーネントキャリアｋ上のパワーヘッドルームを報告しない。
【０１４１】
又は、ユーザ端末がサブフレームｉ及びコンポーネントキャリアｋにおいてＰＵＣＣＨとＰＵＳＣＨを同時に送信し、サブフレームｉ＋ｎ及びコンポーネントキャリアｋにおいてユーザ端末に新たなアップリンクの伝送があって、サブフレームｉ及びコンポーネントキャリアｋ上のパワーヘッドルーム報告をトリガーするイベントがある場合、
I：一定の論理チャネル優先順に従ってサブフレームｉ及びコンポーネントキ
ャリアｋにおいて該ユーザ端末に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ  ＰＤＵ  ｓｕｂｈｅａｄｅｒを２つ載せるのに充分であると、該ユーザ端末はサブフレームｉ及びコンポーネントキャリアｋにおいてサブフレームｉ及びコンポーネントキャリアｋ上のパワーヘッドルームを報告し、
II：一方、一定の論理チャネル優先順に従ってサブフレームｉにおいて該ユー
ザ端末に割り当てられたアップリンクリソースが、サブフレームｉ及びコンポーネントキャリアｋ上のパワーヘッドルームを報告するためのパワーヘッドルームＭＡＣ層制御ユニットを１つ載せるのに充分であると、該ユーザ端末はサブフレームｉ及びコンポーネントキャリアｋにおいてサブフレームｉ及びコンポーネントキャリアｋ上のパワーヘッドルームを報告し、
III：そうでない場合、該ユーザ端末はサブフレームｉにおいてサブフレームｉ
及びコンポーネントキャリアｋ上のパワーヘッドルームを報告しない。
【０１４２】
Iにおいて、該ユーザ端末がサブフレームｉにおいて報告したサブフレームｉ
及びコンポーネントキャリアｋ上のパワーヘッドルームは、
ｃの場合、PHPUSCH(i,k)とPHPUCCH(i,k)であって、
ｄの場合、PHPUCCH+PUSCH(i,k)とPHPUCCH(i,k)であって、
ｅの場合、PH'PUCCH+PUSCH(i,k)とPHPUCCH(i,k)であって、
ｆの場合、PHPUCCH+PUSCH(i,k)とPHPUSCH(i,k)であって、
ｇの場合、PH'PUCCH+PUSCH(i,j)とPHPUSCH(i,k)であって、
ｈの場合、PHPUSCH(i,k)とPHPUCCH(i,k)、又はPHPUCCH+PUSCH(i,k)とPHPUSCH(i,k)、又はPHPUCCH+PUSCH(i,k)とPHPUCCH(i,k)である。
【０１４３】
ここで、PHPUCCH+PUSCH(i,j)≧0又はPHPUCCH+PUSCH(i,k)>0であると、該ユーザ端末がサブフレームｉにおいて報告したサブフレームｉ及びコンポーネントキャリアｋ上のパワーヘッドルームはPHPUSCH(i,k)とPHPUCCH(i,k)であって、
PHPUCCH+PUSCH(i,k)<0又はPHPUCCH+PUSCH(i,k)≦0であると、該ユーザ端末がサブフレームｉにおいて報告したサブフレームｉ及びコンポーネントキャリアｋ上のパワーヘッドルームはPHPUCCH+PUSCH(i,k)とPHPUSCH(i,k)、又はPHPUCCH+PUSCH(i,k)とPHPUCCH(i,k)である。
【０１４４】
ここで、PHPUCCH+PUSCH(i,j)≧0又はPHPUCCH+PUSCH(i,k)>0であると、該ユーザ端末がサブフレームｉにおいて報告したサブフレームｉ及びコンポーネントキャリアｋ上のパワーヘッドルームはPHPUCCH+PUSCH(i,k)とPHPUSCH(i,k)、又はPHPUCCH+PUSCH(i,k)とPHPUCCH(i,k)であって、
PHPUCCH+PUSCH(i,k)<0又はPHPUCCH+PUSCH(i,k)≦0であると、該ユーザ端末がサブフレームｉにおいて報告したサブフレームｉ及びコンポーネントキャリアｋ上のパワーヘッドルームはPHPUSCH(i,k)とPHPUCCH(i,k)である。
【０１４５】
ｉの場合、PHPUSCH(i,k)とPHPUCCH(i,k)、又はPH'PUCCH+PUSCH(i,k)とPHPUSCH(i,k)、又はPH'PUCCH+PUSCH(i,k)とPHPUCCH(i,k)で、
ここで、PH'PUCCH+PUSCH(i,k)≧0又はPH'PUCCH+PUSCH(i,k)>0であると、該ユーザ端末がサブフレームｉにおいて報告したサブフレームｉ及びコンポーネントキャリアｋ上のパワーヘッドルームはPH'PUCCH+PUSCH(i,k)とPHPUSCH(i,k)、又はPH'PUCCH+PUSCH(i,k)とPHPUCCH(i,k)であって、
PH'PUCCH+PUSCH(i,k)<0又はPH'PUCCH+PUSCH(i,k)≦0であると、該ユーザ端末がサブフレームｉにおいて報告したサブフレームｉ及びコンポーネントキャリアｋ上のパワーヘッドルームはPHPUSCH(i,k)とPHPUCCH(i,k)である。
【０１４６】
ここで、PH'PUCCH+PUSCH(i,k)≧0又はPH'PUCCH+PUSCH(i,k)>0であると、該ユーザ端末がサブフレームｉにおいて報告したサブフレームｉ及びコンポーネントキャリアｋ上のパワーヘッドルームはPHPUSCH(i,k)とPHPUCCH(i,k)であって、
PH'PUCCH+PUSCH(i,k)<0又はPH'PUCCH+PUSCH(i,k)≦0であると、該ユーザ端末がサブフレームｉにおいて報告したサブフレームｉ及びコンポーネントキャリアｋ上のパワーヘッドルームはPH'PUCCH+PUSCH(i,j)とPHPUSCH(i,k)、又はPH'PUCCH+PUSCH(i,k)とPHPUCCH(i,k)である。
【０１４７】
IIにおいて、該ユーザ端末がサブフレームｉにおいて報告したサブフレームｉ
及びコンポーネントキャリアｋ上のパワーヘッドルームは、
ｃの場合、PHPUSCH(i,k)又はPHPUCCH(i,k)であって、
ｄの場合、PHPUCCH+PUSCH(i,k)又はPHPUCCH(i,k)である。
【０１４８】
ここで、PHPUCCH+PUSCH(i,j)≧0又はPHPUCCH+PUSCH(i,k)>0であると、該ユーザ端末がサブフレームｉにおいて報告したサブフレームｉ及びコンポーネントキャリアｋ上のパワーヘッドルームはPHPUCCH+PUSCH(i,k)であって、
PHPUCCH+PUSCH(i,k)<0又はPHPUCCH+PUSCH(i,k)≦0であると、該ユーザ端末がサブフレームｉにおいて報告したサブフレームｉ及びコンポーネントキャリアｋ上のパワーヘッドルームはPHPUCCH(i,k)である。
【０１４９】
ここで、PHPUCCH+PUSCH(i,j)≧0又はPHPUCCH+PUSCH(i,k)>0であると、該ユーザ端末がサブフレームｉにおいて報告したサブフレームｉ及びコンポーネントキャリアｋ上のパワーヘッドルームはPHPUCCH(i,k)であって、
PHPUCCH+PUSCH(i,k)<0又はPHPUCCH+PUSCH(i,k)≦0であると、該ユーザ端末がサブフレームｉにおいて報告したサブフレームｉ及びコンポーネントキャリアｋ上のパワーヘッドルームはPHPUCCH+PUSCH(i,k)である。
【０１５０】
ｅの場合、PH'PUCCH+PUSCH(i,j)又はPHPUCCH(i,k)である。
ここで、PH'PUCCH+PUSCH(i,k)≧0又はPH'PUCCH+PUSCH(i,k)>0であると、該ユーザ端末がサブフレームｉにおいて報告したサブフレームｉ及びコンポーネントキャリアｋ上のパワーヘッドルームはPH'PUCCH+PUSCH(i,k)であって、
PH'PUCCH+PUSCH(i,k)<0又はPH'PUCCH+PUSCH(i,k)≦0であると、該ユーザ端末がサブフレームｉにおいて報告したサブフレームｉ及びコンポーネントキャリアｋ上のパワーヘッドルームはPHPUCCH(i,k)である。
【０１５１】
ここで、PH'PUCCH+PUSCH(i,k)≧0又はPH'PUCCH+PUSCH(i,k)>0であると、該ユーザ端末がサブフレームｉにおいて報告したサブフレームｉ及びコンポーネントキャリアｋ上のパワーヘッドルームはPHPUCCH(i,k)であって、
PH'PUCCH+PUSCH(i,k)<0又はPH'PUCCH+PUSCH(i,k)≦0であると、該ユーザ端末がサブフレームｉにおいて報告したサブフレームｉ及びコンポーネントキャリアｋ上のパワーヘッドルームはPH'PUCCH+PUSCH(i,k)である。
【０１５２】
ｆの場合、PHPUCCH+PUSCH(i,k)又はPHPUSCH(i,k)である。
ここで、PHPUCCH+PUSCH(i,j)≧0又はPHPUCCH+PUSCH(i,k)>0であると、該ユーザ端末がサブフレームｉにおいて報告したサブフレームｉ及びコンポーネントキャリアｋ上のパワーヘッドルームはPHPUSCH(i,k)であって、
PHPUCCH+PUSCH(i,k)<0又はPHPUCCH+PUSCH(i,k)≦0であると、該ユーザ端末がサブフレームｉにおいて報告したサブフレームｉ及びコンポーネントキャリアｋ上のパワーヘッドルームはPHPUCCH+PUSCH(i,k)である。
【０１５３】
ここで、PHPUCCH+PUSCH(i,j)≧0又はPHPUCCH+PUSCH(i,k)>0であると、該ユーザ端末がサブフレームｉにおいて報告したサブフレームｉ及びコンポーネントキャリアｋ上のパワーヘッドルームはPHPUCCH+PUSCH(i,k)であって、
PHPUCCH+PUSCH(i,k)<0又はPHPUCCH+PUSCH(i,k)≦0であると、該ユーザ端末がサブフレームｉにおいて報告したサブフレームｉ及びコンポーネントキャリアｋ上のパワーヘッドルームはPHPUSCH(i,k)である。
【０１５４】
ｇの場合、PH'PUCCH+PUSCH(i,k)又はPHPUSCH(i,k)である。
ここで、PH'PUCCH+PUSCH(i,k)≧0又はPH'PUCCH+PUSCH(i,k)>0であると、該ユーザ端末がサブフレームｉにおいて報告したサブフレームｉ及びコンポーネントキャリアｋ上のパワーヘッドルームはPHPUSCH(i,k)であって、
PH'PUCCH+PUSCH(i,k)<0又はPH'PUCCH+PUSCH(i,k)≦0であると、該ユーザ端末がサブフレームｉにおいて報告したサブフレームｉ及びコンポーネントキャリアｋ上のパワーヘッドルームはPH'PUCCH+PUSCH(i,k)である。
【０１５５】
ここで、PH'PUCCH+PUSCH(i,k)≧0又はPH'PUCCH+PUSCH(i,k)>0であると、該ユーザ端末がサブフレームｉにおいて報告したサブフレームｉ及びコンポーネントキャリアｋ上のパワーヘッドルームはPH'PUCCH+PUSCH(i,k)であって、
PH'PUCCH+PUSCH(i,k)<0又はPH'PUCCH+PUSCH(i,k)≦0であると、該ユーザ端末がサブフレームｉにおいて報告したサブフレームｉ及びコンポーネントキャリアｋ上のパワーヘッドルームはPHPUSCH(i,k)である。
【０１５６】
ｈの場合、：PHPUSCH(i,j)又はPHPUCCH(i,k)又はPHPUCCH+PUSCH(i,k)である。
ここで、PHPUCCH+PUSCH(i,j)≧0又はPHPUCCH+PUSCH(i,k)>0であると、該ユーザ端末がサブフレームｉにおいて報告したサブフレームｉ及びコンポーネントキャリアｋ上のパワーヘッドルームはPHPUSCH(i,k)又はPHPUCCH(i,k)であって、
PHPUCCH+PUSCH(i,k)<0又はPHPUCCH+PUSCH(i,k)≦0であると、該ユーザ端末がサブフレームｉにおいて報告したサブフレームｉ及びコンポーネントキャリアｋ上のパワーヘッドルームはPHPUCCH+PUSCH(i,k)である。
【０１５７】
ここで、PHPUCCH+PUSCH(i,j)≧0又はPHPUCCH+PUSCH(i,k)>0であると、該ユーザ端末がサブフレームｉにおいて報告したサブフレームｉ及びコンポーネントキャリアｋ上のパワーヘッドルームはPHPUCCH+PUSCH(i,k)であって、
PHPUCCH+PUSCH(i,k)<0又はPHPUCCH+PUSCH(i,k)≦0であると、該ユーザ端末がサブフレームｉにおいて報告したサブフレームｉ及びコンポーネントキャリアｋ上のパワーヘッドルームはPHPUSCH(i,k)又はPHPUCCH(i,k)である。
【０１５８】
ｉの場合、：PHPUSCH(i,k)又はPHPUCCH(i,k)又はPH'PUCCH+PUSCH(i,k)である。
ここで、PH'PUCCH+PUSCH(i,k)≧0又はPH'PUCCH+PUSCH(i,k)>0であると、該ユーザ端末がサブフレームｉにおいて報告したサブフレームｉ及びコンポーネントキャリアｋ上のパワーヘッドルームはPH'PUCCH+PUSCH(i,k)であって、
PH'PUCCH+PUSCH(i,k)<0又はPH'PUCCH+PUSCH(i,k)≦0であると、該ユーザ端末がサブフレームｉにおいて報告したサブフレームｉ及びコンポーネントキャリアｋ上のパワーヘッドルームはPHPUSCH(i,k)又はPHPUCCH(i,k)である。
【０１５９】
ここで、PH'PUCCH+PUSCH(i,k)≧0又はPH'PUCCH+PUSCH(i,k)>0であると、該ユーザ端末がサブフレームｉにおいて報告したサブフレームｉ及びコンポーネントキャリアｋ上のパワーヘッドルームはPHPUSCH(i,k)又はPHPUCCH(i,k)であって、
PH'PUCCH+PUSCH(i,k)<0又はPH'PUCCH+PUSCH(i,k)≦0であると、該ユーザ端末がサブフレームｉにおいて報告したサブフレームｉ及びコンポーネントキャリアｋ上のパワーヘッドルームはPH'PUCCH+PUSCH(i,j)である。
【０１６０】
又はIとIIにおいて、該ユーザ端末がサブフレームｉにおいて報告したサブフ
レームｉ及びコンポーネントキャリアｋ上のパワーヘッドルームの種別は最上位層のシグナリングによって配置される。
【０１６１】
ユーザ端末は基地局にパワーヘッドルームを報告する場合、パワーヘッドルームとそのパワーヘッドルームの種別を報告する。その中、ユーザ端末はパワーヘッドルームＭＡＣ層制御ユニットを介して前記パワーヘッドルームを報告する。
【０１６２】
また、ユーザ端末が基地局にパワーヘッドルームを報告する場合、パワーヘッドルームＭＡＣ層制御ユニットにおいて、報告したパワーヘッドルームの種別を示す。
【０１６３】
また、前記パワーヘッドルームＭＡＣ層制御ユニットの中の最上位及び/又はその次の位は報告したパワーヘッドルームの種別を示すためのものである。
【０１６４】
例えば、前記パワーヘッドルームＭＡＣ層制御ユニットの中の最上位又はその次の位が０であると、報告したパワーヘッドルームがPHPUSCH(i,k)であることを示す。
【０１６５】
前記パワーヘッドルームＭＡＣ層制御ユニットの中の最上位又はその次の位が１であると、報告したパワーヘッドルームがPHPUCCH(i,k)であることを示す。
【０１６６】
又は前記パワーヘッドルームＭＡＣ層制御ユニットの中の最上位又はその次の位が０であると、報告したパワーヘッドルームがPHPUSCH(i,k)であることを示す。
【０１６７】
前記パワーヘッドルームＭＡＣ層制御ユニットの中の最上位又はその次の位が１であると、報告したパワーヘッドルームがPHPUCCH+PUSCH(i,k)（又はPH'PUCCH+PUSCH(i,k)）であることを示す。
【０１６８】
又は前記パワーヘッドルームＭＡＣ層制御ユニットの中の最上位の２ビットが００であると、報告したパワーヘッドルームがPHPUSCH(i,k)であることを示す。
【０１６９】
前記パワーヘッドルームＭＡＣ層制御ユニットの中の最上位の２ビットが０１又は１０又は１１であると、報告したパワーヘッドルームがPHPUCCH(i,k)であることを示す。
【０１７０】
又は、前記パワーヘッドルームＭＡＣ層制御ユニットの中の最上位の２ビットが００であると、報告したパワーヘッドルームがPHPUSCH(i,k)であることを示す。
【０１７１】
前記パワーヘッドルームＭＡＣ層制御ユニットの中の最上位の２ビットが１０又は１１又は０１であると、報告したパワーヘッドルームがPHPUCCH+PUSCH(i,k)（又はPH'PUCCH+PUSCH(i,k)）であることを示す。
【０１７２】
又は、前記パワーヘッドルームＭＡＣ層制御ユニットの中の最上位の２ビットが００であると、報告したパワーヘッドルームがPHPUSCH(i,k)であることを示す。
【０１７３】
前記パワーヘッドルームＭＡＣ層制御ユニットの中の最上位の２ビットが０１又は１０又は１１であると、報告したパワーヘッドルームがPHPUCCH(i,k)であることを示す。
【０１７４】
前記パワーヘッドルームＭＡＣ層制御ユニットの中の最上位の２ビットが１０又は１１又は０１であると、報告したパワーヘッドルームがPHPUCCH+PUSCH(i,k)（又はPH'PUCCH+PUSCH(i,k)）であることを示す。
【０１７５】
実施例１
ＬＴＥ−Ａシステムが周波数分割複信（Frequency Division Duplex、ＦＤＤ）モードで動作し、システムに２つのダウンリンクコンポーネントキャリアＤ１及びＤ２と、２つのアップリンクコンポーネントキャリアＵ１及びＵ２があると仮定する。
【０１７６】
ユーザ端末はＵ１とＵ２におけるアップリンク信号の送信を支援する。
【０１７７】
該ユーザ端末はコンポーネントキャリアＵ１とＵ２においてそれぞれパワーヘッドルームを測定する。
【０１７８】
該ユーザ端末がサブフレームｉ及びコンポーネントキャリアＵ１においてＰＵＳＣＨのみを送信し、該ユーザ端末がサブフレームｉ及びコンポーネントキャリアＵ１においてパワーヘッドルームPH(i,1)を測定すると仮定する。
【０１７９】
該ユーザ端末が推定したサブフレームｉ及びコンポーネントキャリアＵ１上のＰＵＳＣＨの放射電力がPH'PUSCH(i,1)であって、該ユーザ端末がサブフレームｉ及びコンポーネントキャリアＵ１に設定した最大配置出力電力がPCMAX(1)であるとした場合、該ユーザ端末がサブフレームｉ及びコンポーネントキャリアＵ１において測定したパワーヘッドルームは
PH(i,1)=PCMAX(1)-P'PUSCH(i,1)[ｄＢ]である。
【０１８０】
該ユーザ端末がサブフレームｉ及びコンポーネントキャリアＵ２においてＰＵＳＣＨのみを送信し、該ユーザ端末がサブフレームｉ及びコンポーネントキャリアＵ１においてパワーヘッドルームPHPUSCH(i,2)を測定すると仮定する。
【０１８１】
該ユーザ端末が推定したサブフレームｉ及びコンポーネントキャリアＵ２上のＰＵＳＣＨの放射電力がP'PUSCH(i,2)であって、該ユーザ端末がサブフレームｉ及びコンポーネントキャリアＵ２に設定した最大配置出力電力がPCMAX(2)であるとした場合、該ユーザ端末がサブフレームｉ及びコンポーネントキャリアＵ２において測定したパワーヘッドルームは
PH PUSCH(i,2)=PCMAX(2)-PH'PUSCH(i,2)[ｄＢ]である。
【０１８２】
該ユーザ端末がサブフレームｉ及びコンポーネントキャリアＵ２においてＰＵＳＣＨとＰＵＣＣＨを同時に送信し、ユーザ端末がサブフレームｉ及びコンポーネントキャリアＵ２においてパワーヘッドルームを測定すると仮定する。
【０１８３】
該ユーザ端末が推定したサブフレームｉ及びコンポーネントキャリアＵ２上のＰＵＳＣＨの放射電力がP'PUSCH(i,2)であって、推定したＰＵＣＣＨの放射電力がP'PUCCH(i,2)であって、該ユーザ端末がサブフレームｉ及びコンポーネントキャリアＵ２に配置した最大配置出力電力がPCMAX(2)であるとした場合、該ユーザ端末がサブフレームｉ及びコンポーネントキャリアＵ２において測定したパワーヘッドルームは
0005603428.tif 000016
である。
【０１８４】
サブフレームｉにおいて、該ユーザ端末がサブフレームｉ及びコンポーネントキャリアＵ２上のパワーヘッドルームを報告すると確定した場合、一定の論理チャネル優先順に従ってサブフレームｉにおいて該ユーザ端末に割り当てられたアップリンクリソースが、サブフレームｉ及びコンポーネントキャリアＵ２上のパワーヘッドルームを報告するためのパワーヘッドルームＭＡＣ層制御ユニットを１つ載せるのに充分であると、該ユーザ端末がサブフレームｉにおいて報告したサブフレームｉ及びコンポーネントキャリアＵ２上のパワーヘッドルームはPHPUCCH+PUSCH(i,2)又はPH'PUCCH+PUSCH(i,2)であって、
そうでない場合、該ユーザ端末がサブフレームｉにおいてサブフレームｉ及びコンポーネントキャリアＵ２上のパワーヘッドルームを報告しない。
【０１８５】
ユーザ端末はパワーヘッドルームＭＡＣ層制御ユニットを介して前記パワーヘッドルームを報告する。ユーザ端末は基地局にパワーヘッドルームとそのパワーヘッドルームの種別を報告する。その中、前記パワーヘッドルームＭＡＣ層制御ユニットの中の最上位及び/又はその次の位はパワーヘッドルームの種別を示すためのものである。
【０１８６】
前記パワーヘッドルームＭＡＣ層制御ユニットの中の最上位の２ビットが００であると、報告したパワーヘッドルームがPHPUSCH(i,k)であることを示す。
【０１８７】
前記パワーヘッドルームＭＡＣ層制御ユニットの中の最上位の２ビットが０１（又は１０、又は１１）であると、報告したパワーヘッドルームがPHPUCCH+PUSCH(i,k)であることを示す。
【０１８８】
又は、前記パワーヘッドルームＭＡＣ層制御ユニットの中の最上位の２ビットが０１（又は１０、又は１１）であると、報告したパワーヘッドルームがPH'PUCCH+PUSCH(i,k)であることを示す。
【０１８９】
又は、前記パワーヘッドルームＭＡＣ層制御ユニットの中の最上位又はその次の位が０であると、報告したパワーヘッドルームがPHPUSCH(i,k)であることを示す。
【０１９０】
前記パワーヘッドルームＭＡＣ層制御ユニットの中の最上位又はその次の位が１であると、報告したパワーヘッドルームがPHPUCCH+PUSCH(i,k)（又はPH'PUCCH+PUSCH(i,k)）であることを示す。
【０１９１】
実施例２
ＬＴＥ−Ａシステムが周波数分割複信モードで動作し、システムに２つのダウンリンクコンポーネントキャリアＤ１及びＤ２と、２つのアップリンクコンポーネントキャリアＵ１及びＵ２があると仮定する。
【０１９２】
ユーザ端末はＵ１とＵ２におけるアップリンク信号の送信を支援する。
【０１９３】
該ユーザ端末はコンポーネントキャリアＵ１とＵ２においてそれぞれパワーヘッドルームを測定する。
【０１９４】
該ユーザ端末がサブフレームｉ及びコンポーネントキャリアＵ２においてＰＵＳＣＨとＰＵＣＣＨを同時に送信し、ユーザ端末がサブフレームｉ及びコンポーネントキャリアＵ２においてパワーヘッドルームを測定すると仮定する。
【０１９５】
該ユーザ端末が推定したサブフレームｉ及びコンポーネントキャリアＵ２上のＰＵＳＣＨの放射電力がP'PUSCH(i,2)であって、推定したＰＵＣＣＨの放射電力がP'PUCCH(i,2)であって、該ユーザ端末がサブフレームｉ及びコンポーネントキャリアＵ２に設定した最大配置出力電力がPCMAX(2)であるとした場合、該ユーザ端末がサブフレームｉ及びコンポーネントキャリアＵ２において測定したパワーヘッドルームPHPUCCH(i,2)とPHPUSCH(i,2)は、
PHPUCCH(i,2)=PCMAX(2)-P'PUCCH(i,2)[ｄＢ]であって、
PHPUSCH(i,2)=PCMAX(2)-P'PUSCH(i,2)[ｄＢ]である。
【０１９６】
サブフレームｉにおいて該ユーザ端末がサブフレームｉ及びコンポーネントキャリアＵ２上のパワーヘッドルームを報告すると確定した場合、
一定の論理チャネル優先順に従ってサブフレームｉにおいて該ユーザ端末に割り当てられたアップリンクリソースが、サブフレームｉ及びコンポーネントキャリアＵ２上のパワーヘッドルームを報告するためのパワーヘッドルームＭＡＣ層制御ユニットを２つ載せるのに充分であると、該ユーザ端末がサブフレームｉにおいて報告したサブフレームｉ及びコンポーネントキャリアＵ２上のパワーヘッドルームは
PHPUCCH(i,2)とPHPUSCH(i,2)であって、
一方、一定の論理チャネル優先順に従ってサブフレームｉにおいて該ユーザ端末に割り当てられたアップリンクリソースが、サブフレームｉ及びコンポーネントキャリアＵ２上のパワーヘッドルームを報告するためのパワーヘッドルームＭＡＣ層制御ユニットを１つ載せるのに充分であると、該ユーザ端末がサブフレームｉにおいて報告したサブフレームｉ及びコンポーネントキャリアＵ２上のパワーヘッドルームはPHPUCCH(i,2)又はPHPUSCH(i,2)であって、
そうでない場合、該ユーザ端末がサブフレームｉにおいてサブフレームｉ及びコンポーネントキャリアＵ２上のパワーヘッドルームを報告しない。
【０１９７】
ユーザ端末はパワーヘッドルームＭＡＣ層制御ユニットを介して前記パワーヘッドルームを報告する。ユーザ端末が基地局にパワーヘッドルームとそのパワーヘッドルームの種別を報告する。その中、前記パワーヘッドルームＭＡＣ層制御ユニットの中の最上位及び/又はその次の位は報告したパワーヘッドルームの種別を示すためのものである。
【０１９８】
前記パワーヘッドルームＭＡＣ層制御ユニットの中の最上位の２ビットが００であると、報告したパワーヘッドルームがPHPUSCH(i,k)であることを示す。
【０１９９】
前記パワーヘッドルームＭＡＣ層制御ユニットの中の最上位の２ビットが０１（又は１０、又は１１）であると、報告したパワーヘッドルームがPHPUCCH(i,k)であることを示す。
【０２００】
又は、前記パワーヘッドルームＭＡＣ層制御ユニットの中の最上位又はその次の位が０であると、報告したパワーヘッドルームがPHPUSCH(i,k)であることを示す。
【０２０１】
前記パワーヘッドルームＭＡＣ層制御ユニットの中の最上位又はその次の位が１であると、報告したパワーヘッドルームがPHPUCCH(i,k)であることを示す。
【０２０２】
実施例３
ＬＴＥ−Ａシステムが周波数分割複信モードで動作し、システムに２つのダウンリンクコンポーネントキャリアＤ１及びＤ２と、２つのアップリンクコンポーネントキャリアＵ１及びＵ２があると仮定する。
【０２０３】
ユーザ端末はＵ１とＵ２におけるアップリンク信号の送信を支援する。
【０２０４】
該ユーザ端末はコンポーネントキャリアＵ１とＵ２においてそれぞれパワーヘッドルームを測定する。
【０２０５】
該ユーザ端末がサブフレームｉ及びコンポーネントキャリアＵ２においてＰＵＳＣＨとＰＵＣＣＨを同時に送信し、ユーザ端末がサブフレームｉ及びコンポーネントキャリアＵ２においてパワーヘッドルームを測定すると仮定する。
【０２０６】
該ユーザ端末が推定したサブフレームｉ及びコンポーネントキャリアＵ２上のＰＵＳＣＨの放射電力がP'PUSCH(i,2)であって、推定したＰＵＣＣＨの放射電力がP'PUCCH(i,2)であって、該ユーザ端末がサブフレームｉ及びコンポーネントキャリアＵ２において設定した最大配置出力電力がPCMAX(2)であるとした場合、該ユーザ端末がサブフレームｉ及びコンポーネントキャリアＵ２において測定したパワーヘッドルームPHPUSCH(i,2)とPHPUCCH+PUSCH(i,2)は
PHPUSCH(i,2)=PCMAX(2)-P'PUSCH(i,2)[ｄＢ]であって、
0005603428.tif 000017
である。
【０２０７】
サブフレームｉにおいて該ユーザ端末がサブフレームｉ及びコンポーネントキャリアＵ２上のパワーヘッドルームを報告すると確定した場合、
一定の論理チャネル優先順に従ってサブフレームｉにおいて該ユーザ端末に割り当てられたアップリンクリソースが、サブフレームｉ及びコンポーネントキャリアＵ２上のパワーヘッドルームを報告するためのパワーヘッドルームＭＡＣ層制御ユニットを２つ載せるのに充分であると、該ユーザ端末がサブフレームｉにおいて報告したサブフレームｉ及びコンポーネントキャリアＵ２上のパワーヘッドルームはPHPUSCH(i,2)とPHPUCCH+PUSCH(i,2)であって、
一方、一定の論理チャネル優先順に従ってサブフレームｉにおいて該ユーザ端末に割り当てられたアップリンクリソースが、サブフレームｉ及びコンポーネントキャリアＵ２上のパワーヘッドルームを報告するためのパワーヘッドルームＭＡＣ層制御ユニットを１つ載せるのに充分であると、該ユーザ端末がサブフレームｉにおいて報告したサブフレームｉ及びコンポーネントキャリアＵ２上のパワーヘッドルームはPHPUSCH(i,2)又はPHPUCCH+PUSCH(i,2)である。
【０２０８】
ここで、PHPUCCH+PUSCH(i,2)≧0又はPHPUCCH+PUSCH(i,2)>0であると、該ユーザ端末がサブフレームｉにおいて報告したサブフレームｉ及びコンポーネントキャリアＵ２上のパワーヘッドルームはPHPUSCH(i,2)であって、
PHPUCCH+PUSCH(i,2)<0又はPHPUCCH+PUSCH(i,2)≦0であると、該ユーザ端末がサブフレームｉにおいて報告したサブフレームｉ及びコンポーネントキャリアＵ２上のパワーヘッドルームはPHPUCCH+PUSCH(i,k)であって、
そうでない場合、該ユーザ端末はサブフレームｉにおいてサブフレームｉ及びコンポーネントキャリアＵ２上のパワーヘッドルームを報告しない。
【０２０９】
ユーザ端末はパワーヘッドルームＭＡＣ層制御ユニットを介して前記パワーヘッドルームを報告する。ユーザ端末は基地局にパワーヘッドルームとそのパワーヘッドルームの種別を報告する。その中、前記パワーヘッドルームＭＡＣ層制御ユニットの中の最上位及び/又はその次の位は報告したパワーヘッドルームの種別を示すためのものである。
【０２１０】
前記パワーヘッドルームＭＡＣ層制御ユニットの中の最上位の２ビットが００であると、報告したパワーヘッドルームがPHPUSCH(i,k)であることを示す。
【０２１１】
前記パワーヘッドルームＭＡＣ層制御ユニットの中の最上位の２ビットが０１（又は１０、又は１１）であると、報告したパワーヘッドルームがPHPUCCH+PUSCH(i,k)であることを示す。
【０２１２】
又は、前記パワーヘッドルームＭＡＣ層制御ユニットの中の最上位又はその次の位が０であると、報告したパワーヘッドルームがPHPUSCH(i,k)であることを示す。
【０２１３】
前記パワーヘッドルームＭＡＣ層制御ユニットの中の最上位又はその次の位が１であると、報告したパワーヘッドルームがPHPUCCH+PUSCH(i,k)であることを示す。
【０２１４】
実施例４
ＬＴＥ−Ａシステムが周波数分割複信モードで動作し、システムに２つのダウンリンクコンポーネントキャリアＤ１及びＤ２と、２つのアップリンクコンポーネントキャリアＵ１及びＵ２があると仮定する。
【０２１５】
ユーザ端末はＵ１とＵ２におけるアップリンク信号の送信を支援する。
【０２１６】
該ユーザ端末がコンポーネントキャリアＵ１とＵ２においてそれぞれパワーヘッドルームを測定する。
【０２１７】
該ユーザ端末がサブフレームｉ及びコンポーネントキャリアＵ２においてＰＵＳＣＨとＰＵＣＣＨを同時に送信し、ユーザ端末がサブフレームｉ及びコンポーネントキャリアＵ２においてパワーヘッドルームを測定すると仮定する。
【０２１８】
該ユーザ端末が推定したサブフレームｉ及びコンポーネントキャリアＵ２上のＰＵＳＣＨの放射電力がP'PUSCH(i,2)であって、推定したＰＵＣＣＨの放射電力がP'PUCCH(i,2)であって、該ユーザ端末がサブフレームｉ及びコンポーネントキャリアＵ２において設定した最大配置出力電力がPCMAX(2)であるとした場合、該ユーザ端末がサブフレームｉ及びコンポーネントキャリアＵ２において測定したパワーヘッドルームPHPUCCH(i,2)、PHPUSCH(i,2)とPH'PUCCH+PUSCH(i,2)は、
PHPUCCH(i,2)=PCMAX(2)-P'PUCCH(i,2)[ｄＢ]、
PHPUSCH(i,2)=PCMAX(2)-P'PUSCH(i,2)[ｄＢ]、
0005603428.tif 000018
である。
【０２１９】
サブフレームｉにおいて該ユーザ端末がサブフレームｉ及びコンポーネントキャリアＵ２上のパワーヘッドルームを報告すると確定した場合、
一定の論理チャネル優先順に従ってサブフレームｉにおいて該ユーザ端末に割り当てられたアップリンクリソースが、サブフレームｉ及びコンポーネントキャリアＵ２上のパワーヘッドルームを報告するためのパワーヘッドルームＭＡＣ層制御ユニットを二つ載せるのに充分であると、該ユーザ端末がサブフレームｉにおいて報告したサブフレームｉ及びコンポーネントキャリアＵ２上のパワーヘッドルームはPHPUSCH(i,2)とPHPUCCH(i,2)であって、又はPH'PUCCH+PUSCH(i,2)とPHPUSCH(i,2)であって、又はPH'PUCCH+PUSCH(i,2)とPHPUCCH(i,2)である。
【０２２０】
ここで、PH'PUCCH+PUSCH(i,2)≧0又はPH'PUCCH+PUSCH(i,2)>0であると、該ユーザ端末がサブフレームｉにおいて報告したサブフレームｉ及びコンポーネントキャリアＵ２上のパワーヘッドルームはPHPUSCH(i,2)とPHPUCCH(i,2)であって、
PH'PUCCH+PUSCH(i,2)<0又はPH'PUCCH+PUSCH(i,2)≦0であると、該ユーザ端末がサブフレームｉにおいて報告したサブフレームｉ及びコンポーネントキャリアＵ２上のパワーヘッドルームはPH'PUCCH+PUSCH(i,2)とPHPUSCH(i,2)、又はPH'PUCCH+PUSCH(i,2)とPHPUCCH(i,2)である。
【０２２１】
一方、一定の論理チャネル優先順に従ってサブフレームｉにおいて該ユーザ端末に割り当てられたアップリンクリソースが、サブフレームｉ及びコンポーネントキャリアＵ２上のパワーヘッドルームを報告するためのパワーヘッドルームＭＡＣ層制御ユニットを１つ載せるのに充分であると、該ユーザ端末がサブフレームｉにおいて報告したサブフレームｉ及びコンポーネントキャリアＵ２上のパワーヘッドルームはPHPUSCH(i,2)又はPHPUCCH(i,2)又はPH'PUCCH+PUSCH(i,2)である。
【０２２２】
ここで、PH'PUCCH+PUSCH(i,2)≧0又はPH'PUCCH+PUSCH(i,2)>0であると、該ユーザ端末がサブフレームｉにおいて報告したサブフレームｉ及びコンポーネントキャリアｋ上のパワーヘッドルームはPHPUSCH(i,2)であって、
PH'PUCCH+PUSCH(i,2)<0又はPH'PUCCH+PUSCH(i,2)≦0であると、該ユーザ端末がサブフレームｉにおいて報告したサブフレームｉ及びコンポーネントキャリアｋ上のパワーヘッドルームはPH'PUCCH+PUSCH(i,2)である。
【０２２３】
そうでない場合、該ユーザ端末はサブフレームｉにおいてサブフレームｉ及びコンポーネントキャリアＵ２上のパワーヘッドルームを報告しない。
【０２２４】
ユーザ端末はパワーヘッドルームＭＡＣ層制御ユニットを介して前記パワーヘッドルームを報告する。ユーザ端末は基地局にパワーヘッドルームと前記パワーヘッドルームの種別を報告する。その中、前記パワーヘッドルームＭＡＣ層制御ユニットの中の最上位の２ビットは報告したパワーヘッドルームの種別を示すためのものである。
【０２２５】
前記パワーヘッドルームＭＡＣ層制御ユニットの中の最上位の２ビットが００であると、報告したパワーヘッドルームがPHPUSCH(i,k)であることを示す。
【０２２６】
前記パワーヘッドルームＭＡＣ層制御ユニットの中の最上位の２ビットが０１であると、報告したパワーヘッドルームがPHPUCCH(i,k)であることを示す。
【０２２７】
前記パワーヘッドルームＭＡＣ層制御ユニットの中の最上位の２ビットが１０又は１１であると、報告したパワーヘッドルームがPH'PUCCH+PUSCH(i,k)であることを示す。
【０２２８】
実施例５
ＬＴＥ−ＡシステムがＴＤＤモードで動作し、システムに五つのコンポーネントキャリアＣ０、Ｃ１、Ｃ２、Ｃ３とＣ４があると仮定する。その中、Ｃ０とＣ１は同じ周波数帯域に位置し、Ｃ２は他の周波数帯域に位置し、Ｃ３とＣ４は三番目の周波数帯域に位置すると仮定する。
【０２２９】
ユーザ端末はＣ０、Ｃ１、Ｃ２、Ｃ３、Ｃ４におけるアップリンク信号の送信を支援する。
【０２３０】
該ユーザ端末はコンポーネントキャリアＣ０、Ｃ１、Ｃ２、Ｃ３、Ｃ４においてそれぞれパワーヘッドルームを測定する。
【０２３１】
該ユーザ端末がサブフレームｉ及びコンポーネントキャリアＣkにおいてＰＵＳＣＨのみを送信し、ユーザ端末がサブフレームｉ及びコンポーネントキャリアＣkにおいてパワーヘッドルームPHPUSCH(i,k)を測定すると仮定する。その中、ｋ＝０、１、２、３、４である。
【０２３２】
該ユーザ端末が推定したサブフレームｉ及びコンポーネントキャリアＣk上のＰＵＳＣＨの放射電力がP'PUSCH(i,k)であって、該ユーザ端末がサブフレームｉ及びコンポーネントキャリアＣkに設定した最大配置出力電力がPCMAX(k)であるとした場合、該ユーザ端末がサブフレームｉ及びコンポーネントキャリアＣkにおいて測定したパワーヘッドルームは
PHPUSCH(i,k)=PCMAX(k)-P'PUSCH(i,k)[ｄＢ]である。
【０２３３】
該ユーザ端末がサブフレームｉ及びコンポーネントキャリアＣkにおいてＰＵＣＣＨのみを送信し、ユーザ端末がサブフレームｉ及びコンポーネントキャリアＣkにおいてパワーヘッドルームPHPUCCH(i,k)を測定すると仮定する。
【０２３４】
ユーザ端末がサブフレームｉ及びコンポーネントキャリアｋにおいてＰＵＳＣＨのみを送信し、サブフレームｉ及びコンポーネントキャリアｋにおいてユーザ端末に新たなアップリンクの伝送があって、サブフレームｉ及びコンポーネントキャリアｋ上のパワーヘッドルーム報告をトリガーするイベントがある場合、
一定の論理チャネル優先順に従ってサブフレームｉ及びコンポーネントキャリアｋにおいて該ユーザ端末に割り当てられたアップリンクリソースが、サブフレームｉ及びコンポーネントキャリアｋ上のパワーヘッドルームを報告するためのパワーヘッドルームＭＡＣ層制御ユニット及び該ＭＡＣ層プロトコルデータユニットサブヘッド（MAC PDU subheader）を１つ載せるのに充分であると、該ユーザ端末はサブフレームｉ及びコンポーネントキャリアｋにおいてサブフレームｉ及びコンポーネントキャリアｋ上のパワーヘッドルームを報告し、
そうでない場合、該ユーザ端末はサブフレームｉにおいてサブフレームｉ及びコンポーネントキャリアｋ上のパワーヘッドルームを報告しない。
【０２３５】
該ユーザ端末が報告したサブフレームｉ及びコンポーネントキャリアｋ上のパワーヘッドルームはPHPUSCH(i,k)である。
【０２３６】
該ユーザ端末が推定したサブフレームｉ及びコンポーネントキャリアＣk上のＰＵＣＣＨの放射電力がP'PUCCH(i,k)であって、該ユーザ端末がサブフレームｉ及びコンポーネントキャリアＣkにおいて設定した最大配置出力電力がPCMAX(k)であるとした場合、該ユーザ端末がサブフレームｉ及びコンポーネントキャリアＣkにおいて測定したパワーヘッドルームは
PHPUCCH(i,k)=PCMAX(k)-P'PUCCH(i,k)[ｄＢ]である。
【０２３７】
該ユーザ端末がサブフレームｉ及びコンポーネントキャリアＣkにおいて三つのＰＵＣＣＨチャネルを送信し、推定した放射電力がそれぞれP'PUCCH(i,k,0)、P'PUCCH(i,k,1)とP'PUCCH(i,k,2)であるとした場合、
0005603428.tif 000019
である。
【０２３８】
ユーザ端末がサブフレームｉ及びコンポーネントキャリアＣkにおいてＰＵＣＣＨのみを送信し、サブフレームｉ＋ｎ及びコンポーネントキャリアＣkにおいてユーザ端末に新たなアップリンクの伝送があって、サブフレームｉ及びコンポーネントキャリアＣk上のパワーヘッドルーム報告をトリガーするイベントがある場合、
一定の論理チャネル優先順に従ってサブフレームｉ＋ｎ及びコンポーネントキャリアＣkにおいて該ユーザ端末に割り当てられたアップリンクリソースが、サブフレームｉ及びコンポーネントキャリアＣk上のパワーヘッドルームを報告するためのパワーヘッドルームＭＡＣ層制御ユニット及び該ＭＡＣ  ＰＤＵ  ｓｕｂｈｅａｄｅｒを１つ載せるのに充分であると、該ユーザ端末はサブフレームｉ及びコンポーネントキャリアＣkにおいてサブフレームｉ及びコンポーネントキャリアＣk上のパワーヘッドルームを報告し、
そうでない場合、該ユーザ端末はサブフレームｉにおいてサブフレームｉ及びコンポーネントキャリアＣk上のパワーヘッドルームを報告しない。
【０２３９】
ここで、サブフレームｉ＋ｎはサブフレームｉの後の最初のコンポーネントキャリアＣkにおいてユーザ端末に新たなアップリンクの伝送があるサブフレームである。該ユーザ端末が報告したサブフレームｉ及びコンポーネントキャリアグループｊ上のパワーヘッドルームはPHPUCCH(i,k)である。
【０２４０】
ユーザ端末がサブフレームｉ及びコンポーネントキャリアＣkにおいてＰＵＳＣＨとＰＵＣＣＨを同時に送信し、ユーザ端末がサブフレームｉ及びコンポーネントキャリアＣkにおいてパワーヘッドルームを測定すると仮定する。
【０２４１】
該ユーザ端末が推定したサブフレームｉ及びコンポーネントキャリアＣk上のＰＵＳＣＨの放射電力がP'PUSCH(i,k)であって、推定したＰＵＣＣＨの放射電力がP'PUCCH(i,k)であって、該ユーザ端末がサブフレームｉ及びコンポーネントキャリアＣkに設定した最大配置出力電力がPCMAX(k)であるとした場合、該ユーザ端末が測定したサブフレームｉ及びコンポーネントキャリアＣk上のパワーヘッドルームは、
PHPUCCH(i,k)=PCMAX(k)-P'PUCCH(i,k)[ｄＢ]であって、
PHPUSCH(i,k)=PCMAX(k)-P'PUSCH(i,k)[ｄＢ]である。
【０２４２】
ユーザ端末がサブフレームｉ及びコンポーネントキャリアｋにおいてＰＵＳＣＨとＰＵＣＣＨを同時に送信し、サブフレームｉ及びコンポーネントキャリアｋにおいてユーザ端末に新たなアップリンクの伝送があって、サブフレームｉ及びコンポーネントキャリアｋ上のパワーヘッドルーム報告をトリガーするイベントがある場合、
一定の論理チャネル優先順に従ってサブフレームｉにおいて該ユーザ端末に割り当てられたアップリンクリソースが、サブフレームｉ及びコンポーネントキャリアＣk上のパワーヘッドルームを報告するためのパワーヘッドルームＭＡＣ層制御ユニットを２つ載せるのに充分であると、該ユーザ端末がサブフレームｉにおいて報告したサブフレームｉ及びコンポーネントキャリアＣk上のパワーヘッドルームはPHPUCCH(i,k)とPHPUSCH(i,k)であって、
一方、一定の論理チャネル優先順に従ってサブフレームｉにおいて該ユーザ端末に割り当てられたアップリンクリソースが、サブフレームｉ及びコンポーネントキャリアＣk上のパワーヘッドルームを報告するためのパワーヘッドルームＭＡＣ層制御ユニットを１つ載せるのに充分であると、該ユーザ端末がサブフレームｉにおいて報告したサブフレームｉ及びコンポーネントキャリアＣk上のパワーヘッドルームはPHPUSCH(i,k)であって、
そうでない場合、該ユーザ端末はサブフレームｉにおいてサブフレームｉ及びコンポーネントキャリアＣk上のパワーヘッドルームを報告しない。
【０２４３】
ユーザ端末はパワーヘッドルームＭＡＣ層制御ユニットを介して前記パワーヘッドルームを報告する。ユーザ端末は基地局にパワーヘッドルームと前記パワーヘッドルームの種別を報告する。その中、前記パワーヘッドルームＭＡＣ層制御ユニットの中の最上位及び/又はその次の位は報告したパワーヘッドルームの種別を示すためのものである。
【０２４４】
前記パワーヘッドルームＭＡＣ層制御ユニットの中の最上位の２ビットが００であると、報告したパワーヘッドルームがPHPUSCH(i,k)であることを示す。
【０２４５】
前記パワーヘッドルームＭＡＣ層制御ユニットの中の最上位の２ビットが０１（又は１０、又は１１）であると、報告したパワーヘッドルームがPHPUCCH(i,k)であることを示す。
【０２４６】
又は、前記パワーヘッドルームＭＡＣ層制御ユニットの中の最上位又はその次の位が０であると、報告したパワーヘッドルームがPHPUSCH(i,k)であることを示す。
【０２４７】
前記パワーヘッドルームＭＡＣ層制御ユニットの中の最上位又はその次の位が１であると、報告したパワーヘッドルームがPHPUCCH+PUSCH(i,k)であることを示す。
【０２４８】
図４は本発明の実施例に係る端末を示す図である。
【０２４９】
図４に示すように、該端末は、サブフレーム及びコンポーネントキャリアグループにおいてＰＵＳＣＨ及び/又はＰＵＣＣＨを送信する場合、サブフレーム及びコンポーネントキャリアグループ上のパワーヘッドルームを測定する測定ブロック１０と、前記パワーヘッドルームと前記パワーヘッドルームの種別を基地局に報告する送信ブロック２０と、を含む。
【０２５０】
該実施例に係る端末は前記実施例に係るパワーヘッドルームの処理方法に従ってパワーヘッドルーム及び種別を測定し、測定したパワーヘッドルーム及び種別を基地局に報告する。
【０２５１】
前記したように、本発明によると、以下のような技術効果を実現することができる。
(１)キャリアアグリゲーション技術を用いたＬＴＥ−Ａシステムにおけるパワーヘッドルームの測定問題を解決し、キャリアアグリゲーション後の端末のパワーヘッドルームの測定及び報告を実現できる。
(２)端末がパワーヘッドルームを報告する際にパワーヘッドルームの種別も報告することによって、関連技術における報告したパワーヘッドルームを区別できない問題を解決することができる。従って、パワーヘッドルームを報告すると共にその種別を報告し、各パワーヘッドルームが属する種別を明確に示し、混同を防止する。
【０２５２】
当業者にとっては、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０２５３】
以上は、本発明の好適な実施例に過ぎず、本発明を限定するものではない。当業者であれば本発明に様々な修正や変形が可能である。本発明の精神や原則中での如何なる修正、置換、改良などは本発明の保護範囲内に含まれる。
【図面の簡単な説明】
【０２５４】
ここで説明する図面は本発明を理解するためのものであり、本発明の一部を構成し、本発明における実施例と共に本発明を解釈し、本発明を不当に限定するものではない。
【図１】関連技術に係るＬＴＥシステムにおけるパワーヘッドルームＭＡＣ層制御ユニットの構造を示す図である。
【図２】関連技術に係るＬＴＥ−Ａシステムのキャリアアグリゲーションを示す図である。
【図３】本発明の実施例に係るパワーヘッドルームの処理方法を示すフローチャートである。
【図４】本発明の実施例に係る端末を示す図である。
【図１】
0005603428.tif 000022
【図２】
0005603428.tif 000023
【図３】
0005603428.tif 000024
【図４】
0005603428.tif 000025